(57)【要約】質量分析計の一部を構成するイオン移動度セパレータ（１２）と直列である２つの平行な電極（９ａ、９ｂ）を含むＦＡＩＭＳ装置を含む質量分析計が開示される。イオンは、電場強度に伴うイオン移動度の変化率に応じてＦＡＩＭＳ装置（９ａ、９ｂ）において分離される。ＦＡＩＭＳ装置（９ａ、９ｂ）から前方に伝達されたイオンは、その後、複数の電極（１２）と任意のイオントラップ領域（３３）とを含むイオンセパレータ装置１２に送られる。イオンは、ＡＣ又はＲＦ電圧を電極（１７）に印加することにより、イオンセパレータ内に半径方向に制限され、時間の関数として一定のままでありうるか又は経時的に変化しうる軸方向ＤＣ電圧勾配を印加することによりイオン移動度に応じて分離される。
2007534126.tif 000002
【特許請求の範囲】
【請求項１】
イオンをイオン移動度又は電場強度に伴うイオン移動度の変化率に応じて分離するための第１の装置と、
イオンをイオン移動度又は電場強度に伴うイオン移動度の変化率に応じて分離するための第２の装置を含み、
前記第２の装置が、前記第１の装置の下流に配置されている装置。
【請求項２】
前記第１の装置が、イオンを電場強度に伴うイオン移動度の変化率に応じて分離するように構成されている請求項１に記載の装置。
【請求項３】
前記第１の装置が、電場非対称性イオン移動度スペクトロメトリー（Ｆｉｅｌｄ  Ａｓｙｍｍｅｔｒｉｃ  Ｉｏｎ  Ｍｏｂｉｌｉｔｙ  Ｓｐｅｃｔｒｏｍｅｔｒｙ「ＦＡＩＭＳ」）装置を含む請求項１又は２に記載の装置。
【請求項４】
前記第１の装置が、少なくとも第１の電極及び第２の電極を含み、イオンが、使用時に、前記第１及び第２の電極の間に受け取られるように配置される請求項１、２又は３に記載の装置。
【請求項５】
前記第１の電極が、第１の平面プレート又は平面電極を含み、前記第２の電極が、第２の平面プレート又は平面電極を含む請求項４に記載の装置。
【請求項６】
前記第１の電極が、内側の円筒状電極を含み、前記第２の電極が、外側の同心円筒状電極を含む請求項４に記載の装置。
【請求項７】
前記第１の電極が、半球部分で終わり、及び／又は、前記第２の電極が、半球部分で終わる請求項５又は６に記載の装置。
【請求項８】
さらに、ガス流を供給するための手段を含み、前記ガス流は、前記第１の装置を通過するようにイオンを導く又は進行させる先行する請求項のいずれかに記載の装置。
【請求項９】
さらに、前記第１の装置に非対称周期電圧波形を印加するための手段を含み、前記非対称周期電圧波形は正のピーク電圧及び負のピーク電圧を有する先行する請求項のいずれかに記載の装置。
【請求項１０】
前記正のピーク電圧が、（ｉ）＜１００Ｖ、（ｉｉ）１００〜５００Ｖ、（ｉｉｉ）５００〜１０００Ｖ、（ｉｖ）１〜２ｋＶ、（ｖ）２〜３ｋＶ、（ｖｉ）３〜４ｋＶ、（ｖｉｉ）４〜５ｋＶ、（ｖｉｉｉ）５〜６ｋＶ、（ｉｘ）６〜７ｋＶ、（ｘ）７〜８ｋＶ、（ｘｉ）８〜９ｋＶ、（ｘｉｉ）９〜１０ｋＶ、及び（ｘｉｉｉ）＞１０ｋＶからなる群より選ばれる振幅を有する請求項９に記載の装置。
【請求項１１】
前記負のピーク電圧が、（ｉ）＜１００Ｖ、（ｉｉ）１００〜５００Ｖ、（ｉｉｉ）５００〜１０００Ｖ、（ｉｖ）１〜２ｋＶ、（ｖ）２〜３ｋＶ、（ｖｉ）３〜４ｋＶ、（ｖｉｉ）４〜５ｋＶ、（ｖｉｉｉ）５〜６ｋＶ、（ｉｘ）６〜７ｋＶ、（ｘ）７〜８ｋＶ、（ｘｉ）８〜９ｋＶ、（ｘｉｉ）９〜１０ｋＶ、及び（ｘｉｉｉ）＞１０ｋＶからなる群より選ばれる振幅を有する請求項１０又は１１に記載の装置。
【請求項１２】
前記正のピーク電圧の振幅の前記負のピーク電圧の振幅に対する比又は前記負のピーク電圧の振幅の前記正のピーク電圧の振幅に対する比が、（ｉ）＜１．５、（ｉｉ）１．５〜１．７５、（ｉｉｉ）１．７５〜２、（ｉｖ）２〜２．２５、（ｖ）２．２５〜２．５、（ｖｉ）２．５〜２．７５、（ｖｉｉ）２．７５〜３、（ｖｉｉｉ）３〜３．２５、（ｉｘ）３．２５〜３．５、（ｘ）３．５〜４、（ｘｉ）４〜５、（ｘｉｉ）５〜１０、及び（ｘｉｉｉ）＞１０からなる群より選ばれる請求項９、１０又は１１に記載の装置。
【請求項１３】
前記非対称周期電圧波形が、（ｉ）＜１０Ｖ／ｃｍ、（ｉｉ）１０〜５０Ｖ／ｃｍ、（ｉｉｉ）５０〜１００Ｖ／ｃｍ、（ｉｖ）１００〜５００Ｖ／ｃｍ、（ｖ）５００〜１０００Ｖ／ｃｍ、（ｖｉ）１〜２ｋＶ／ｃｍ、（ｖｉｉ）２〜３ｋＶ／ｃｍ、（ｖｉｉｉ）３〜４ｋＶ／ｃｍ、（ｉｘ）４〜５ｋＶ／ｃｍ、（ｘ）５〜６ｋＶ／ｃｍ、（ｘｉ）６〜７ｋＶ／ｃｍ、（ｘｉｉ）７〜８ｋＶ／ｃｍ、（ｘｉｉｉ）８〜９ｋＶ／ｃｍ、（ｘｉｖ）９〜１０ｋＶ／ｃｍ、及び（ｘｖ）＞１０ｋＶ／ｃｍからなる群より選ばれる最大又は平均電場強度を有する電場を発生させる請求項９〜１２のいずれかに記載の装置。
【請求項１４】
さらに、前記第１の装置にＤＣ補償電圧を印加するための手段を含む先行する請求項のいずれかに記載の装置。
【請求項１５】
前記ＤＣ補償電圧が、（ｉ）＜５Ｖ、（ｉｉ）５〜１０Ｖ、（ｉｉｉ）１０〜１５Ｖ、（ｉｖ）１５〜２０Ｖ、（ｖ）２０〜５０Ｖ、（ｖｉ）５０〜１００Ｖ、及び（ｖｉｉ）＞１００Ｖからなる群より選ばれる振幅を有する請求項１４に記載の装置。
【請求項１６】
前記ＤＣ補償電圧が、釣り合わせ又は相殺しなければ所望のイオンを前記第１の装置の電極に向かってドリフトさせる力に対して釣り合わせ又は相殺する働きをする請求項１４又は１５に記載の装置。
【請求項１７】
前記ＤＣ補償電圧が走査される請求項１４、１５又は１６に記載の装置。
【請求項１８】
前記ＤＣ補償電圧が、周期的に、直線的に、非直線的に、規則的に又は不規則に走査される請求項１７に記載の装置。
【請求項１９】
前記第１の装置が、使用時、（ｉ）＜０．０００１ミリバール、（ｉｉ）０．０００１〜０．０００５ミリバール、（ｉｉｉ）０．０００５〜０．００１ミリバール、（ｉｖ）０．００１〜０．００５ミリバール、（ｖ）０．００５〜０．０１ミリバール、（ｖｉ）０．０１〜０．０５ミリバール、（ｖｉｉ）０．０５〜０．１ミリバール、（ｖｉｉｉ）０．１〜０．５ミリバール、（ｉｘ）０．５〜１ミリバール、（ｘ）１〜５ミリバール、（ｘｉ）５〜１０ミリバール、（ｘｉｉ）１０〜５０ミリバール、（ｘｉｉｉ）５０〜１００ミリバール、（ｘｉｖ）１００〜５００ミリバール、（ｘｖ）５００〜１０００ミリバール、及び（ｘｖｉ）＞１０００ミリバールからなる群より選ばれる圧力で動作するように構成されている先行する請求項のいずれかに記載の装置。
【請求項２０】
前記第２の装置が、イオンをイオン移動度に応じて分離するように構成されている先行する請求項のいずれかに記載の装置。
【請求項２１】
前記第２の装置が、前記第１の装置から受け取られるイオン群を分離するように構成され、前記イオン群は電場強度に伴うイオン移動度の変化率に基づいて他のイオンから分離されたものである先行する請求項のいずれかに記載の装置。
【請求項２２】
前記第２の装置が、イオン移動度セパレータ又はイオン移動度スペクトロメータを含む先行する請求項のいずれかに記載の装置。
【請求項２３】
前記第２の装置が、複数の電極を含む請求項２０、２１又は２２に記載の装置。
【請求項２４】
前記第２の装置が、（ｉ）イオンが通過する開口部を有する複数の電極を含むイオン漏斗であって、前記開口部の直径が徐々に小さく又は大きくなっているイオン漏斗、（ｉｉ）イオンが通過する開口部を有する複数の電極を含むイオントンネルであって、前記開口部の直径が実質的に一定のままであるイオントンネル、及び（ｉｉｉ）プレート、リング又はワイヤループ電極のスタックからなる群より選ばれる先行する請求項のいずれかに記載の装置。
【請求項２５】
前記第２の装置が、複数の電極を含み、各電極が、使用時にイオンが通過する開口部を有する先行する請求項のいずれかに記載の装置。
【請求項２６】
前記第２の装置が、複数の電極を含み、各電極が、実質的に円形の開口部を有する先行する請求項のいずれかに記載の装置。
【請求項２７】
前記第２の装置が、複数の電極を含み、各電極が、使用時にイオンが通過する単一の開口部を有する先行する請求項のいずれかに記載の装置。
【請求項２８】
前記第２の装置を構成する電極のうち少なくとも１０％、２０％、３０％、４０％、５０％、６０％、７０％、８０％、９０％又は９５％の電極の開口部の直径が、（ｉ）１０ｍｍ以下、（ｉｉ）９ｍｍ以下、（ｉｉｉ）８ｍｍ以下、（ｉｖ）７ｍｍ以下、（ｖ）６ｍｍ以下、（ｖｉ）５ｍｍ以下、（ｖｉｉ）４ｍｍ以下、（ｖｉｉｉ）３ｍｍ以下、（ｉｘ）２ｍｍ以下、及び（ｘ）１ｍｍ以下からなる群より選ばれる請求項２５、２６又は２７に記載の装置。
【請求項２９】
前記第２の装置が、複数の電極を含み、前記第２の装置を構成する電極のうち少なくとも１０％、２０％、３０％、４０％、５０％、６０％、７０％、８０％、９０％又は９５％が、大きさ又は面積が実質的に同じ開口部を有する先行する請求項のいずれかに記載の装置。
【請求項３０】
前記第２の装置が、セグメント化されたロッドセットを含む先行する請求項のいずれかに記載の装置。
【請求項３１】
前記第２の装置が、（ｉ）１０〜２０の電極、（ｉｉ）２０〜３０の電極、（ｉｉｉ）３０〜４０の電極、（ｉｖ）４０〜５０の電極、（ｖ）５０〜６０の電極、（ｖｉ）６０〜７０の電極、（ｖｉｉ）７０〜８０の電極、（ｖｉｉｉ）８０〜９０の電極、（ｉｘ）９０〜１００の電極、（ｘ）１００〜１１０の電極、（ｘｉ）１１０〜１２０の電極、（ｘｉｉ）１２０〜１３０の電極、（ｘｉｉｉ）１３０〜１４０の電極、（ｘｉｖ）１４０〜１５０の電極、又は（ｘｖ）１５０を超える電極で構成される先行する請求項のいずれかに記載の装置。
【請求項３２】
前記第２の装置が、複数の電極を含み、前記電極のうち少なくとも１０％、２０％、３０％、４０％、５０％、６０％、７０％、８０％、９０％又は９５％の電極の厚さが、（ｉ）３ｍｍ以下、（ｉｉ）２．５ｍｍ以下、（ｉｉｉ）２．０ｍｍ以下、（ｉｖ）１．５ｍｍ以下、（ｖ）１．０ｍｍ以下、及び（ｖｉ）０．５ｍｍ以下からなる群より選ばれる先行する請求項のいずれかに記載の装置。
【請求項３３】
前記第２の装置が、（ｉ）５ｃｍ未満、（ｉｉ）５〜１０ｃｍ、（ｉｉｉ）１０〜１５ｃｍ、（ｉｖ）１５〜２０ｃｍ、（ｖ）２０〜２５ｃｍ、（ｖｉ）２５〜３０ｃｍ、及び（ｖｉｉ）３０ｃｍを超える長さからなる群より選ばれる長さを有する先行する請求項のいずれかに記載の装置。
【請求項３４】
前記第２の装置が、複数の電極を含み、前記電極のうち少なくとも６０％、６５％、７０％、７５％、８０％、８５％、９０％又は９５％が、使用時にイオンが通過する開口部を有する先行する請求項のいずれかに記載の装置。
【請求項３５】
前記第２の装置が、複数の電極を含み、使用時、少なくとも一部のイオンを前記第２の装置の中心軸付近に制限するために、前記第２の装置の前記電極の少なくとも一部にＡＣ又はＲＦ電圧が印加される先行する請求項のいずれかに記載の装置。
【請求項３６】
前記ＡＣ又はＲＦ電圧が、（ｉ）＜０．１ＭＨｚ、（ｉｉ）０．１〜０．５ＭＨｚ、（ｉｉｉ）０．５〜１ＭＨｚ、（ｉｖ）１〜５ＭＨｚ、及び（ｖ）＞５ＭＨｚからなる群より選ばれる範囲内の周波数を有する請求項３５に記載の装置。
【請求項３７】
前記第２の装置の少なくとも一部に渡って１以上のＤＣ電圧勾配が維持される先行する請求項のいずれかに記載の装置。
【請求項３８】
前記第２の装置が、１つ以上の電極を含むドリフトチューブを含み、使用時、前記ドリフトチューブの少なくとも一部に沿って１以上の軸方向ＤＣ電圧勾配が維持される先行する請求項のいずれかに記載の装置。
【請求項３９】
前記ＤＣ電圧勾配が、（ｉ）＜１０Ｖ／ｃｍ、（ｉｉ）１０〜５０Ｖ／ｃｍ、（ｉｉｉ）５０〜１００Ｖ／ｃｍ、（ｉｖ）１００〜５００Ｖ／ｃｍ、（ｖ）５００〜１０００Ｖ／ｃｍ、（ｖｉ）１〜２ｋＶ／ｃｍ、（ｖｉｉ）２〜３ｋＶ／ｃｍ、（ｖｉｉｉ）３〜４ｋＶ／ｃｍ、（ｉｘ）４〜５ｋＶ／ｃｍ、（ｘ）５〜６ｋＶ／ｃｍ、（ｘｉ）６〜７ｋＶ／ｃｍ、（ｘｉｉ）７〜８ｋＶ／ｃｍ、（ｘｉｉｉ）８〜９ｋＶ／ｃｍ、（ｘｉｖ）９〜１０ｋＶ／ｃｍ、及び（ｘｖ）＞１０ｋＶ／ｃｍからなる群より選ばれる最大又は平均電場強度を有する電場を生じさせる請求項３７又は３８に記載の装置。
【請求項４０】
前記第２の装置が、複数の電極を含み、使用時、第１のイオン移動度を有する少なくとも一部のイオンが第２の異なるイオン移動度を有する他のイオンから分離されるように、１以上の過渡ＤＣ電圧又は１以上の過渡ＤＣ電圧波形が前記電極に徐々に印加される先行する請求項のいずれかに記載の装置。
【請求項４１】
前記１以上の過渡ＤＣ電圧又は前記１以上の過渡ＤＣ電圧波形が、前記１以上の過渡ＤＣ電圧又は前記１以上の過渡ＤＣ電圧波形が前記電極に徐々に印加される際に、前記１以上の過渡ＤＣ電圧又は前記１以上の過渡ＤＣ電圧波形により、前記第１のイオン移動度を有するイオンのうち少なくとも１０％、２０％、３０％、４０％、５０％、６０％、７０％、８０％、９０％又は９５％が実質的に前記第２の装置に沿って移動されるようなものである請求項４０に記載の装置。
【請求項４２】
前記１以上の過渡ＤＣ電圧又は前記１以上の過渡ＤＣ電圧波形が、前記１以上の過渡ＤＣ電圧又は前記１以上の過渡ＤＣ電圧波形が前記電極に徐々に印加される際に、前記第１のイオン移動度を有するイオンよりも低い度合で印加された前記ＤＣ電圧により、前記第２のイオン移動度を有するイオンのうち少なくとも１０％、２０％、３０％、４０％、５０％、６０％、７０％、８０％、９０％又は９５％が前記第２の装置に沿って移動されるようなものである請求項４０又は４１に記載の装置。
【請求項４３】
前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記第２のイオン移動度を有するイオンよりも高い速度で前記第２の装置に沿って移動されるようなものである請求項４０、４１又は４２に記載の装置。
【請求項４４】
前記第２の装置が、イオンをイオン移動度に応じて分離するためのイオン移動度セパレータを含み、前記イオン移動度セパレータが複数の電極を含み、イオンが前記イオン移動度セパレータの領域に向かって移動されるように、使用時に１以上の過渡ＤＣ電圧又は１以上の過渡ＤＣ電圧波形が前記電極に徐々に印加され、少なくとも１つの電極がポテンシャルを有し、前記ポテンシャルは、第１のイオン移動度を有する少なくとも一部のイオンが該ポテンシャルを通過するが、第２の異なるイオン移動度を有する他のイオンが該ポテンシャルを通過しないようなものである先行する請求項のいずれかに記載の装置。
【請求項４５】
前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記ポテンシャルを通過するようなものである請求項４４に記載の装置。
【請求項４６】
前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が前記ポテンシャルを通過しないようなものである請求項４４又は４５に記載の装置。
【請求項４７】
前記少なくとも１つの電極が、ポテンシャルの山又は谷がもたらされるような電圧を与えられている請求項４４、４５又は４６に記載の装置。
【請求項４８】
前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記第２のイオン移動度を有するイオンよりも実質的に先に前記第２の装置を出射するようなものである請求項４０〜４７のいずれかに記載の装置。
【請求項４９】
前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が前記第１のイオン移動度を有するイオンよりも実質的に後に前記第２の装置を出射するようなものである請求項４０〜４８のいずれかに記載の装置。
【請求項５０】
前記第１のイオン移動度を有するイオンの大部分が、前記第２のイオン移動度を有するイオンの大部分が前記第２の装置を出射するよりも時間ｔ先に前記第２の装置を出射し、ｔが、（ｉ）＜１μ秒、（ｉｉ）１〜１０μ秒、（ｉｉｉ）１０〜５０μ秒、（ｉｖ）５０〜１００μ秒、（ｖ）１００〜２００μ秒、（ｖｉ）２００〜３００μ秒、（ｖｉｉ）３００〜４００μ秒、（ｖｉｉｉ）４００〜５００μ秒、（ｉｘ）５００〜６００μ秒、（ｘ）６００〜７００μ秒、（ｘｉ）７００〜８００μ秒、（ｘｉｉ）８００〜９００μ秒、（ｘｉｉｉ）９００〜１０００μ秒、（ｘｉｖ）１．０〜１．１ｍ秒（ｘｖ）１．１〜１．２ｍ秒、（ｘｖｉ）１．２〜１．３ｍ秒、（ｘｖｉｉ）１．３〜１．４ｍ秒、（ｘｖｉｉｉ）１．４〜１．５ｍ秒、（ｘｉｘ）１．５〜１．６ｍ秒、（ｘｘ）１．６〜１．７ｍ秒、（ｘｘｉ）１．７〜１．８ｍ秒、（ｘｘｉｉ）１．８〜１．９ｍ秒、（ｘｘｉｉｉ）１．９〜２．０ｍ秒、（ｘｘｉｖ）２．０〜２．５ｍ秒、（ｘｘｖ）２．５〜３．０ｍ秒、（ｘｘｖｉ）３．０〜３．５ｍ秒、（ｘｘｖｉｉ）３．５〜４．０ｍ秒、（ｘｘｖｉｉｉ）４．０〜４．５ｍ秒、（ｘｘｉｘ）４．５〜５．０ｍ秒、（ｘｘｘ）５〜１０ｍ秒、（ｘｘｘｉ）１０〜１５ｍ秒、（ｘｘｘｉｉ）１５〜２０ｍ秒、（ｘｘｘｉｉｉ）２０〜２５ｍ秒、（ｘｘｘｉｖ）２５〜３０ｍ秒、及び（ｘｘｘｖ）＞３０ｍ秒からなる群より選ばれる範囲に含まれる請求項４０〜４９のいずれかに記載の装置。
【請求項５１】
前記第２の装置が、イオンをイオン移動度に応じて分離するためのイオン移動度セパレータを含み、前記イオン移動度セパレータは、複数の電極を含み、
（ｉ）イオンが前記イオン移動度セパレータの領域に向かって移動され、少なくとも１つの電極が第１のポテンシャルを有し、前記第１のポテンシャルは、少なくとも一部の第１のイオン移動度及び第２の異なるイオン移動度を有するイオンが該ポテンシャルを通過するが、他の第３の異なるイオン移動度を有するイオンが該ポテンシャルを通過しないようなものであり、
（ｉｉ）前記第１及び第２のイオン移動度を有するイオンが前記イオン移動度セパレータの領域に向かって移動され、少なくとも１つの電極が第２のポテンシャルを有し、前記第２のポテンシャルは、少なくとも一部の前記第１のイオン移動度を有するイオンが該ポテンシャルを通過するが、他の前記第２の異なるイオン移動度を有するイオンが該ポテンシャルを通過しないようなものであるように、
前記電極に、使用時に１以上の過渡ＤＣ電圧又は１以上の過渡ＤＣ電圧波形が徐々に印加される先行する請求項のいずれかに記載の装置。
【請求項５２】
前記１以上の過渡ＤＣ電圧又は前記１以上の過渡ＤＣ電圧波形及び前記第１のポテンシャルが、前記第１のイオン移動度を有するイオンのうち少なくとも１０％、２０％、３０％、４０％、５０％、６０％、７０％、８０％、９０％又は９５％が前記第１のポテンシャルを通過するようなものである請求項５１に記載の装置。
【請求項５３】
前記１以上の過渡ＤＣ電圧又は前記１以上の過渡ＤＣ電圧波形及び前記第１のポテンシャルが、前記第２のイオン移動度を有するイオンのうち少なくとも１０％、２０％、３０％、４０％、５０％、６０％、７０％、８０％、９０％又は９５％が前記第１のポテンシャルを通過するようなものである請求項５１又は５２に記載の装置。
【請求項５４】
前記１以上の過渡ＤＣ電圧又は前記１以上の過渡ＤＣ電圧波形及び前記第１のポテンシャルが、前記第３のイオン移動度を有するイオンのうち少なくとも１０％、２０％、３０％、４０％、５０％、６０％、７０％、８０％、９０％又は９５％が前記第１のポテンシャルを通過しないようなものである請求項５１、５２又は５３に記載の装置。
【請求項５５】
前記１以上の過渡ＤＣ電圧又は前記１以上の過渡ＤＣ電圧波形及び前記第２のポテンシャルが、前記第１のイオン移動度を有するイオンのうち少なくとも１０％、２０％、３０％、４０％、５０％、６０％、７０％、８０％、９０％又は９５％が前記第２のポテンシャルを通過するようなものである請求項５１〜５４のいずれかに記載の装置。
【請求項５６】
前記１以上の過渡ＤＣ電圧又は前記１以上の過渡ＤＣ電圧波形及び前記第２のポテンシャルが、前記第２のイオン移動度を有するイオンのうち少なくとも１０％、２０％、３０％、４０％、５０％、６０％、７０％、８０％、９０％又は９５％が前記第２のポテンシャルを通過しないようなものである請求項５１〜５５のいずれかに記載の装置。
【請求項５７】
前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が、前記第１及び第３のイオン移動度を有するイオンよりも実質的に先に前記イオン移動度セパレータを出射するようなものである請求項５１〜５６のいずれかに記載の装置。
【請求項５８】
前記１以上の過渡ＤＣ電圧又は前記１以上の過渡ＤＣ電圧波形が、前記第１及び第３のイオン移動度を有するイオンのうち少なくとも１０％、２０％、３０％、４０％、５０％、６０％、７０％、８０％、９０％又は９５％が、前記第２のイオン移動度を有するイオンよりも実質的に後に、前記イオン移動度セパレータを出射するようなものである請求項５１〜５７のいずれかに記載の装置。
【請求項５９】
前記第２のイオン移動度を有するイオンの大部分が、前記第１及び第３のイオン移動度を有するイオンの大部分が前記イオン移動度セパレータを出射するよりも時間ｔ先に前記イオン移動度セパレータを出射し、ｔが、（ｉ）＜１μ秒、（ｉｉ）１〜１０μ秒、（ｉｉｉ）１０〜５０μ秒、（ｉｖ）５０〜１００μ秒、（ｖ）１００〜２００μ秒、（ｖｉ）２００〜３００μ秒、（ｖｉｉ）３００〜４００μ秒、（ｖｉｉｉ）４００〜５００μ秒、（ｉｘ）５００〜６００μ秒、（ｘ）６００〜７００μ秒、（ｘｉ）７００〜８００μ秒、（ｘｉｉ）８００〜９００μ秒、（ｘｉｉｉ）９００〜１０００μ秒、（ｘｉｖ）１．０〜１．１ｍ秒（ｘｖ）１．１〜１．２ｍ秒、（ｘｖｉ）１．２〜１．３ｍ秒、（ｘｖｉｉ）１．３〜１．４ｍ秒、（ｘｖｉｉｉ）１．４〜１．５ｍ秒、（ｘｉｘ）１．５〜１．６ｍ秒、（ｘｘ）１．６〜１．７ｍ秒、（ｘｘｉ）１．７〜１．８ｍ秒、（ｘｘｉｉ）１．８〜１．９ｍ秒、（ｘｘｉｉｉ）１．９〜２．０ｍ秒、（ｘｘｉｖ）２．０〜２．５ｍ秒、（ｘｘｖ）２．５〜３．０ｍ秒、（ｘｘｖｉ）３．０〜３．５ｍ秒、（ｘｘｖｉｉ）３．５〜４．０ｍ秒、（ｘｘｖｉｉｉ）４．０〜４．５ｍ秒、（ｘｘｉｘ）４．５〜５．０ｍ秒、（ｘｘｘ）５〜１０ｍ秒、（ｘｘｘｉ）１０〜１５ｍ秒、（ｘｘｘｉｉ）１５〜２０ｍ秒、（ｘｘｘｉｉｉ）２０〜２５ｍ秒、（ｘｘｘｉｖ）２５〜３０ｍ秒、及び（ｘｘｘｖ）＞３０ｍ秒からなる群より選ばれる範囲に含まれる請求項５１〜５８のいずれかに記載の装置。
【請求項６０】
前記第２の装置に印加される前記１以上の過渡ＤＣ電圧が、（ｉ）ポテンシャルの山又は障壁、（ｉｉ）ポテンシャル井戸、（ｉｉｉ）ポテンシャルの山又は障壁とポテンシャル井戸との組み合わせ、（ｉｖ）多数のポテンシャルの山又は障壁、（ｖ）多数のポテンシャル井戸、又は（ｖｉ）多数のポテンシャルの山又は障壁と多数のポテンシャル井戸との組み合わせを生じさせる請求項４０〜５９のいずれかに記載の装置。
【請求項６１】
前記１以上の過渡ＤＣ電圧波形が、反復波形を含む請求項４０〜６０のいずれかに記載の装置。
【請求項６２】
前記１以上の過渡ＤＣ電圧波形が、方形波を含む請求項６１に記載の装置。
【請求項６３】
前記第２の装置に印加される前記１以上の過渡ＤＣ電圧波形が、中間領域によって分離された複数のポテンシャルピーク又は井戸を生じさせる請求項４０〜６２のいずれかに記載の装置。
【請求項６４】
前記中間領域における前記ＤＣ電圧勾配が、非ゼロである請求項６３に記載の装置。
【請求項６５】
前記中間領域における前記ＤＣ電圧勾配が、正又は負である請求項６４に記載の装置。
【請求項６６】
前記中間領域における前記ＤＣ電圧勾配が、直線的である請求項６４又は６５に記載の装置。
【請求項６７】
前記中間領域における前記ＤＣ電圧勾配が、非直線的である請求項６４又は６５のいずれかに記載の装置。
【請求項６８】
前記中間領域における前記ＤＣ電圧勾配が、指数関数的に増加又は減少する請求項６７に記載の装置。
【請求項６９】
前記ポテンシャルピーク又は井戸の振幅が、実質的に一定のままである請求項６３〜６８のいずれかに記載の装置。
【請求項７０】
前記ポテンシャルピーク又は井戸の振幅が、徐々に大きく又は小さくなる請求項６３〜６８のいずれかに記載の装置。
【請求項７１】
前記ポテンシャルピーク又は井戸の振幅が、直線的に又は非直線的に増加又は減少する請求項７０に記載の装置。
【請求項７２】
使用時、前記第２の装置の長さの少なくとも一部に沿って軸方向ＤＣ電圧勾配が維持され、前記軸方向電圧勾配が経時的に変化する請求項４０〜７１のいずれかに記載の装置。
【請求項７３】
前記第２の装置が、第１の基準ポテンシャルに保たれた第１の電極と、第２の基準ポテンシャルに保たれた第２の電極と、第３の基準ポテンシャルに保たれた第３の電極とを含むイオン移動度セパレータを含み、
第１の時間ｔ1において、前記第１の電極が前記第１の基準ポテンシャルより上又は下の第１のポテンシャルに保たれるように、前記第１の電極に第１のＤＣ電圧が供給され、
第２のそれ以降の時間ｔ2において、前記第２の電極が前記第２の基準ポテンシャルより上又は下の第２のポテンシャルに保たれるように前記第２の電極に第２のＤＣ電圧が供給され、
第３のそれ以降の時間ｔ3において、前記第３の電極が前記第３の基準ポテンシャルより上又は下の第３のポテンシャルに保たれるように前記第３の電極に第３のＤＣ電圧が供給される先行する請求項のいずれかに記載の装置。
【請求項７４】
前記第１の時間ｔ1において、前記第２の電極が前記第２の基準ポテンシャルにあり、前記第３の電極が前記第３の基準ポテンシャルにあり、
前記第２の時間ｔ2において、前記第１の電極が前記第１のポテンシャルにあり、前記第３の電極が前記第３の基準ポテンシャルにあり、
前記第３の時間ｔ3において、前記第１の電極が前記第１のポテンシャルにあり、前記第２の電極が前記第２のポテンシャルにある請求項７３に記載の装置。
【請求項７５】
前記第１の時間ｔ1において、前記第２の電極が前記第２の基準ポテンシャルにあり、前記第３の電極が前記第３の基準ポテンシャルにあり、
前記第２の時間ｔ2において、前記第１の電極が前記第１の基準ポテンシャルに戻されるように前記第１の電極には前記第１のＤＣ電圧がもはや供給されず、前記第３の電極が前記第３の基準ポテンシャルにあり、
前記第３の時間ｔ3において、前記第１の電極が前記第１の基準ポテンシャルにあり、前記第２の電極が前記第２の基準ポテンシャルに戻されるように前記第２の電極には前記第２のＤＣ電圧がもはや供給されない請求項７３に記載の装置。
【請求項７６】
前記第１、第２及び第３の基準ポテンシャルが、実質的に同じである請求項７３、７４又は７５のいずれかに記載の装置。
【請求項７７】
前記第１、第２及び第３のＤＣ電圧が、実質的に同じである請求項７３〜７６いずれかに記載の装置。
【請求項７８】
前記第１、第２及び第３のポテンシャルが、実質的に同じである請求項７３〜７７のいずれかに記載の装置。
【請求項７９】
前記第２の装置が、３、４、５、６、７、８、９、１０、１１、１２、１３、１４、１５、１６、１７、１８、１９、２０、２１、２２、２３、２４、２５、２６、２７、２８、２９、３０又は＞３０のセグメントを含むイオン移動度セパレータを含み、各セグメントが、１、２、３、４、５、６、７、８、９、１０、１１、１２、１３、１４、１５、１６、１７、１８、１９、２０、２１、２２、２３、２４、２５、２６、２７、２８、２９、３０又は＞３０の電極を含み、１つのセグメント内の前記電極が実質的に同じＤＣポテンシャルに維持される先行する請求項のいずれかに記載の装置。
【請求項８０】
複数のセグメントが、実質的に同じＤＣポテンシャルに維持される請求項７９に記載の装置。
【請求項８１】
各セグメントが、そのｎ番目後のセグメントと実質的に同じＤＣポテンシャルに保持され、ｎが、３、４、５、６、７、８、９、１０、１１、１２、１３、１４、１５、１６、１７、１８、１９、２０、２１、２２、２３、２４、２５、２６、２７、２８、２９、３０又は＞３０である請求項７９又は８０に記載の装置。
【請求項８２】
イオンが、ＡＣ又はＲＦ電場により前記第１の装置及び／又は前記第２の装置内で半径方向（ｒａｄｉａｌｌｙ）に制限される先行する請求項のいずれかに記載の装置。
【請求項８３】
イオンが、擬ポテンシャル井戸において前記第１の装置及び／又は前記第２の装置内で半径方向に制限され、実ポテンシャル障壁又は井戸によって軸方向に移動される先行する請求項のいずれかに記載の装置。
【請求項８４】
イオンが前記第１の装置及び／又は前記第２の装置の長さの少なくとも一部に沿って進行するように、使用時、前記第１の装置及び／又は前記第２の装置の少なくとも一部の電極に１以上のＡＣ又はＲＦ電圧波形が印加される先行する請求項のいずれかに記載の装置。
【請求項８５】
イオンの前記第１の装置及び／又は前記第２の装置を通る通過時間が、（ｉ）２０ｍ秒以下、（ｉｉ）１０ｍ秒以下、（ｉｉｉ）５ｍ秒以下、（ｉｖ）１ｍ秒以下、及び（ｖ）０．５ｍ秒以下からなる群より選ばれる先行する請求項のいずれかに記載の装置。
【請求項８６】
前記第２の装置が、使用時、（ｉ）０．０００１ミリバール以上、（ｉｉ）０．０００５ミリバール以上、（ｉｉｉ）０．００１ミリバール以上、（ｉｖ）０．００５ミリバール以上、（ｖ）０．０１ミリバール以上、（ｖｉ）０．０５ミリバール以上、（ｖｉｉ）０．１ミリバール以上、（ｖｉｉｉ）０．５ミリバール以上、（ｉｘ）１ミリバール以上、（ｘ）５ミリバール以上、及び（ｘｉ）１０ミリバール以上からなる群より選ばれる圧力に維持される先行する請求項のいずれかに記載の装置。
【請求項８７】
前記第２の装置が、使用時、（ｉ）１０ミリバール以下、（ｉｉ）５ミリバール以下、（ｉｉｉ）１ミリバール以下、（ｉｖ）０．５ミリバール以下、（ｖ）０．１ミリバール以下、（ｖｉ）０．０５ミリバール以下、（ｖｉｉ）０．０１ミリバール以下、（ｖｉｉｉ）０．００５ミリバール以下、（ｉｘ）０．００１ミリバール以下、（ｘ）０．０００５ミリバール以下、及び（ｘｉ）０．０００１ミリバール以下からなる群より選ばれる圧力に維持される先行する請求項のいずれかに記載の装置。
【請求項８８】
前記第２の装置が、使用時、（ｉ）０．０００１と１０ミリバールとの間、（ｉｉ）０．０００１と１ミリバールとの間、（ｉｉｉ）０．０００１と０．１ミリバールとの間、（ｉｖ）０．０００１と０．０１ミリバールとの間、（ｖ）０．０００１と０．００１ミリバールとの間、（ｖｉ）０．００１と１０ミリバールとの間、（ｖｉｉ）０．００１と１ミリバールとの間、（ｖｉｉｉ）０．００１と０．１ミリバールとの間、（ｉｘ）０．００１と０．０１ミリバールとの間、（ｘ）０．０１と１０ミリバールとの間、（ｘｉ）０．０１と１ミリバールとの間、（ｘｉｉ）０．０１と０．１ミリバールとの間、（ｘｉｉｉ）０．１と１０ミリバールとの間、（ｘｉｖ）０．１と１ミリバールとの間、及び（ｘｖ）１と１０ミリバールとの間からなる群より選ばれる圧力に維持される先行する請求項のいずれかに記載の装置。
【請求項８９】
前記第１の装置及び／又は前記第２の装置が、使用時、前記第１の装置及び／又は前記第２の装置を通過するイオンに粘性抵抗がかかるような圧力に維持される先行する請求項のいずれかに記載の装置。
【請求項９０】
使用時、１以上の過渡ＤＣ電圧又は１以上の過渡ＤＣ電圧波形が、前記第１の装置及び／又は前記第２の装置に沿って、最初に第１の軸方向位置に供給され、その後、引き続き第２の異なる軸方向位置、そして第３の異なる軸方向位置に供給される先行する請求項のいずれかに記載の装置。
【請求項９１】
少なくとも一部のイオンが前記第１の装置及び／又は前記第２の装置に沿って進行するように、１以上の過渡ＤＣ電圧又は１以上の過渡ＤＣ電圧波形が前記第１の装置及び／又は前記第２の装置の一方の端部から前記第１の装置及び／又は前記第２の装置の別の端部に移動する先行する請求項のいずれかに記載の装置。
【請求項９２】
前記第１の装置及び／又は前記第２の装置の電極に印加される１以上の過渡ＤＣ電圧又は１以上の過渡ＤＣ電圧波形が、少なくとも２、３、４、５、６、７、８、９又は１０の異なる振幅を有する先行する請求項のいずれかに記載の装置。
【請求項９３】
前記第１の装置及び／又は前記第２の装置の電極に印加される１以上の過渡ＤＣ電圧又は１以上の過渡ＤＣ電圧波形の振幅が、経時的にほぼ一定のままである先行する請求項のいずれかに記載の装置。
【請求項９４】
前記第１の装置及び／又は前記第２の装置の電極に印加される１以上の過渡ＤＣ電圧又は１以上の過渡ＤＣ電圧波形の振幅が、経時的に変化する先行する請求項のいずれかに記載の装置。
【請求項９５】
前記１以上の過渡ＤＣ電圧又は前記１以上の過渡ＤＣ電圧波形の振幅が、（ｉ）経時的に増加する、（ｉｉ）経時的に増加後、減少する、（ｉｉｉ）経時的に減少する、又は（ｉｖ）経時的に減少後、増加する請求項９４に記載の装置。
【請求項９６】
前記第１の装置及び／又は前記第２の装置が、上流の入口領域と、下流の出口領域と、中間領域とを含み、
前記入口領域において、前記１以上の過渡ＤＣ電圧又は前記１以上の過渡ＤＣ電圧波形の振幅が第１の振幅を有し、
前記中間領域において、前記１以上の過渡ＤＣ電圧又は前記１以上の過渡ＤＣ電圧波形の振幅が第２の振幅を有し、
前記出口領域において、前記１以上の過渡ＤＣ電圧又は前記１以上の過渡ＤＣ電圧波形の振幅が第３の振幅を有する先行する請求項のいずれかに記載の装置。
【請求項９７】
前記入口及び／又は出口領域が、前記第１の装置及び／又は前記第２の装置の合計軸方向長さの、（ｉ）＜５％、（ｉｉ）５〜１０％、（ｉｉｉ）１０〜１５％、（ｉｖ）１５〜２０％、（ｖ）２０〜２５％、（ｖｉ）２５〜３０％、（ｖｉｉ）３０〜３５％、（ｖｉｉｉ）３５〜４０％、及び（ｉｘ）４０〜４５％からなる群より選ばれる割合を含む請求項９６に記載の装置。
【請求項９８】
前記第１及び／又は第３の振幅が実質的にゼロであり、前記第２の振幅が実質的に非ゼロである請求項９６又は９７に記載の装置。
【請求項９９】
前記第２の振幅が前記第１の振幅より大きく、及び／又は前記第２の振幅が前記第３の振幅より大きい請求項９６、９７又は９８に記載の装置。
【請求項１００】
前記第１の装置及び／又は前記第２の装置の電極に印加される１以上の過渡ＤＣ電圧又は１以上の過渡ＤＣ電圧波形が、使用時、前記第１の装置及び／又は前記第２の装置に沿って第１の速度で進む先行する請求項のいずれかに記載の装置。
【請求項１０１】
前記第１の速度が、（ｉ）実質的に一定のままである、（ｉｉ）変化する、（ｉｉｉ）増加する、（ｉｖ）増加後、減少する、（ｖ）減少する、（ｖｉ）減少後、増加する、（ｖｉｉ）実質的にゼロに減少する、（ｖｉｉｉ）方向が逆転する、又は（ｉｘ）実質的にゼロに減少後、方向が逆転する請求項１００に記載の装置。
【請求項１０２】
前記１以上の過渡ＤＣ電圧又は前記１以上の過渡ＤＣ電圧波形が、前記第１の装置及び／又は前記第２の装置内の一部のイオンを前記第１の装置及び／又は前記第２の装置に沿って第２の異なる速度で進ませる請求項１００又は１０１に記載の装置。
【請求項１０３】
前記１以上の過渡ＤＣ電圧又は前記１以上の過渡ＤＣ電圧波形が、前記第１の装置及び／又は前記第２の装置の一部のイオンを前記第１の装置及び／又は前記第２の装置に沿って第３の異なる速度で進ませる請求項１００、１０１又は１０２に記載の装置。
【請求項１０４】
前記１以上の過渡ＤＣ電圧又は前記１以上の過渡ＤＣ電圧波形が、前記第１の装置及び／又は前記第２の装置内の一部のイオンを前記第１の装置及び／又は前記第２の装置に沿って第４の異なる速度で進ませる請求項１００〜１０３のいずれかに記載の装置。
【請求項１０５】
前記１以上の過渡ＤＣ電圧又は前記１以上の過渡ＤＣ電圧波形が、前記第１の装置及び／又は前記第２の装置内の一部のイオンを前記第１の装置及び／又は前記第２の装置に沿って第５の異なる速度で進ませる請求項１００〜１０４のいずれかに記載の装置。
【請求項１０６】
前記第１の速度、及び前記第２及び／又は前記第３及び／又は前記第４及び／又は前記第５の速度の差が、（ｉ）５０ｍ／秒以下、（ｉｉ）４０ｍ／秒以下、（ｉｉｉ）３０ｍ／秒以下、（ｉｖ）２０ｍ／秒以下、（ｖ）１０ｍ／秒以下、（ｖｉ）５ｍ／秒以下、及び（ｖｉｉ）１ｍ／秒以下からなる群より選ばれる請求項１００〜１０５のいずれかに記載の装置。
【請求項１０７】
前記第１の速度が、（ｉ）１０〜２５０ｍ／秒、（ｉｉ）２５０〜５００ｍ／秒、（ｉｉｉ）５００〜７５０ｍ／秒、（ｉｖ）７５０〜１０００ｍ／秒、（ｖ）１０００〜１２５０ｍ／秒、（ｖｉ）１２５０〜１５００ｍ／秒、（ｖｉｉ）１５００〜１７５０ｍ／秒、（ｖｉｉｉ）１７５０〜２０００ｍ／秒、（ｉｘ）２０００〜２２５０ｍ／秒、（ｘ）２２５０〜２５００ｍ／秒、（ｘｉ）２５００〜２７５０ｍ／秒、及び（ｘｉｉ）２７５０〜３０００ｍ／秒からなる群より選ばれる請求項１００〜１０６のいずれかに記載の装置。
【請求項１０８】
前記第２及び／又は前記第３及び／又は前記第４及び／又は前記第５の速度が、（ｉ）１０〜２５０ｍ／秒、（ｉｉ）２５０〜５００ｍ／秒、（ｉｉｉ）５００〜７５０ｍ／秒、（ｉｖ）７５０〜１０００ｍ／秒、（ｖ）１０００〜１２５０ｍ／秒、（ｖｉ）１２５０〜１５００ｍ／秒、（ｖｉｉ）１５００〜１７５０ｍ／秒、（ｖｉｉｉ）１７５０〜２０００ｍ／秒、（ｉｘ）２０００〜２２５０ｍ／秒、（ｘ）２２５０〜２５００ｍ／秒、（ｘｉ）２５００〜２７５０ｍ／秒、及び（ｘｉｉ）２７５０〜３０００ｍ／秒からなる群より選ばれる請求項１００〜１０７に記載の装置。
【請求項１０９】
前記第１の装置及び／又は前記第２の装置の電極に印加される１以上の過渡ＤＣ電圧又は１以上の過渡ＤＣ電圧波形が周波数を有し、前記周波数は、（ｉ）実質的に一定のままである、（ｉｉ）変化する、（ｉｉｉ）増加する、（ｉｖ）増加後、減少する、（ｖ）減少する、又は（ｖｉ）減少後、増加する先行する請求項のいずれかに記載の装置。
【請求項１１０】
１以上の過渡ＤＣ電圧又は１以上の過渡ＤＣ電圧波形が、第１の装置及び／又は前記第２の装置の電極に印加され、かつ波長を有し、前記波長は、（ｉ）実質的に一定のままである、（ｉｉ）変化する、（ｉｉｉ）増加する、（ｉｖ）増加後、減少する、（ｖ）減少する、又は（ｖｉ）減少後、増加する先行する請求項のいずれかに記載の装置。
【請求項１１１】
２以上の過渡ＤＣ電圧又は２以上の過渡ＤＣ電圧波形が、前記第１の装置及び／又は前記第２の装置に印加され、かつ前記第１の装置及び／又は前記第２の装置に沿って同時に進む先行する請求項のいずれかに記載の装置。
【請求項１１２】
前記２以上の過渡ＤＣ電圧又は前記２以上の過渡ＤＣ電圧波形が、（ｉ）同じ方向に、（ｉｉ）逆方向に、（ｉｉｉ）互いに向かって、又は（ｉｖ）互いから離れて移動するように構成されている請求項１１１に記載の装置。
【請求項１１３】
１以上の過渡ＤＣ電圧又は１以上の過渡ＤＣ電圧波形が前記第１の装置及び／又は前記第２の装置に沿って進み、少なくとも１つの実質的に定常の過渡ＤＣポテンシャル電圧又は電圧波形が、前記第１の装置及び／又は前記第２の装置に沿った位置に供給される先行する請求項のいずれかに記載の装置。
【請求項１１４】
１以上の過渡ＤＣ電圧又は１以上の過渡ＤＣ電圧波形が、繰り返し発生され、かつ、使用時に前記第１の装置及び／又は前記第２の装置に沿って進み、前記１以上の過渡ＤＣ電圧又は前記１以上の過渡ＤＣ電圧波形を発生させる周波数が、（ｉ）実質的に一定のままである、（ｉｉ）変化する、（ｉｉｉ）増加する、（ｉｖ）増加後、減少する、（ｖ）減少する、又は（ｖｉ）減少後、増加する先行する請求項のいずれかに記載の装置。
【請求項１１５】
使用時、前記第１の装置及び／又は前記第２の装置への入口において連続イオンビームが受け取られる先行する請求項のいずれかに記載の装置。
【請求項１１６】
使用時、前記第１の装置及び／又は前記第２の装置への入口においてイオンパケットが受け取られる先行する請求項のいずれかに記載の装置。
【請求項１１７】
使用時、前記第１の装置及び／又は前記第２の装置の出口からイオンパルスが出て来る先行する請求項のいずれかに記載の装置。
【請求項１１８】
さらに、イオン検出器を含み、前記イオン検出器は、使用時、前記第１の装置及び／又は前記第２の装置の出口から出て来る前記イオンパルスに対して実質的に位相が固定されるように構成されている請求項１１７に記載の装置。
【請求項１１９】
さらに、ドリフト領域内にイオンを注入するための電極を含む飛行時間質量分析器を含み、前記電極は、使用時、前記第１の装置及び／又は前記第２の装置の出口から出て来る前記イオンパルスと実質的に同期して通電されるように構成されている請求項１１７又は１１８に記載の装置。
【請求項１２０】
前記第１の装置及び／又は前記第２の装置が複数の電極を含み、前記電極のうち少なくとも１０％、２０％、３０％、４０％、５０％、６０％、７０％、８０％、９０％又は９５％が、ＤＣ電圧源、及びＡＣ又はＲＦ電圧源の両方に接続されている先行する請求項のいずれかに記載の装置。
【請求項１２１】
前記第１の装置及び／又は前記第２の装置が複数の電極を含み、軸方向に隣接する電極に１８０度の位相差を有するＡＣ又はＲＦ電圧が供給される先行する請求項のいずれかに記載の装置。
【請求項１２２】
前記第２の装置が、（ｉ）＜０．０００１ミリバール、（ｉｉ）０．０００１〜０．０００５ミリバール、（ｉｉｉ）０．０００５〜０．００１ミリバール、（ｉｖ）０．００１〜０．００５ミリバール、（ｖ）０．００５〜０．０１ミリバール、（ｖｉ）０．０１〜０．０５ミリバール、（ｖｉｉ）０．０５〜０．１ミリバール、（ｖｉｉｉ）０．１〜０．５ミリバール、（ｉｘ）０．５〜１ミリバール、（ｘ）１〜５ミリバール、（ｘｉ）５〜１０ミリバール、（ｘｉｉ）１０〜５０ミリバール、（ｘｉｉｉ）５０〜１００ミリバール、（ｘｉｖ）１００〜５００ミリバール、（ｘｖ）５００〜１０００ミリバール、及び（ｘｖｉ）＞１０００ミリバールからなる群より選ばれる圧力で動作するように構成されている先行する請求項のいずれかに記載の装置。
【請求項１２３】
前記第２の装置が、ガス源を供給するための手段を含み、使用時、前記ガスが、前記第２の装置を通るイオンの移動方向に逆らって流れる先行する請求項のいずれかに記載の装置。
【請求項１２４】
前記第１の装置が、イオンをイオン移動度に応じて分離するように構成されている先行する請求項のいずれかに記載の装置。
【請求項１２５】
前記第２の装置が、イオンを電場強度に伴うイオン移動度の変化率に応じて分離するように構成されている先行する請求項のいずれかに記載の装置。
【請求項１２６】
前記第２の装置が、イオンをイオン移動度に応じて分離するためのドリフトチューブ又は領域を含み、前記第２の装置は、さらに、前記ドリフトチューブ又は領域を通過したイオンを検出するための前記ドリフトチューブ又は領域の出口に配置されたイオン検出器を含む先行する請求項のいずれかに記載の装置。
【請求項１２７】
前記第２の装置が、前記ドリフトチューブ又は領域の上流領域に配置されたゲート電極又はメッシュ電極を含み、前記ドリフトチューブ又は領域内にイオンをパルス化するために、前記ゲート電極又はメッシュ電極に周期的に電圧が印加される請求項１２６に記載の装置。
【請求項１２８】
前記第２の装置が、前記イオン検出器を遮断するために前記ドリフトチューブ又は領域の下流領域に配置された電極又はメッシュ電極を含む請求項１２６又は１２７に記載の装置。
【請求項１２９】
前記第２の装置が、イオンをイオン移動度に応じて分離するためのドリフトチューブ又は領域を有し、前記第２の装置は、さらに、イオンを前記ドリフトチューブ又は領域内に直交加速するための直交加速電極を含む先行する請求項のいずれかに記載の装置。
【請求項１３０】
前記第２の装置が、イオンを捕捉するためのイオントラップ領域及びイオンがイオン移動度に応じて分離されるドリフト領域を含む先行する請求項のいずれかに記載の装置。
【請求項１３１】
前記トラップ領域が、前記トラップ領域内でイオンを軸方向に制限するための少なくとも１つの電極又はメッシュ電極を含み、使用時、イオンは、前記トラップ領域から前記ドリフト領域内に周期的に放出又はパルス排出される請求項１３０に記載の装置。
【請求項１３２】
使用時、イオンが前記トラップ領域内に蓄積される一方、他のイオンは、前記ドリフト領域内においてイオン移動度に応じて分離される請求項１３０又は１３１に記載の装置。
【請求項１３３】
さらに、連続イオン源を含む先行する請求項のいずれかに記載の装置。
【請求項１３４】
さらに、パルス状イオン源を含む請求項１〜１３２のいずれかに記載の装置。
【請求項１３５】
さらに、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザー脱離イオン化（「ＭＡＬＤＩ」）イオン源、（ｖ）レーザー脱離イオン化（「ＬＤＩ」）イオン源、（ｖｉ）大気圧イオン化（「ＡＰＩ」）イオン源、（ｖｉｉ）シリコン上脱離イオン化（「ＤＩＯＳ」）イオン源、（ｖｉｉｉ）電子衝撃（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、及び（ｘｖｉ）ニッケル６３放射性イオン源（Ｎｉｃｋｅｌ−６３  ｒａｄｉｏａｃｔｉｖｅ  ｉｏｎ  ｓｏｕｒｃｅ）からなる群より選ばれるイオン源を含む先行する請求項のいずれかに記載の装置。
【請求項１３６】
さらに、被分析試料をイオン化の前に分離するための分離装置を含む先行する請求項のいずれかに記載の装置。
【請求項１３７】
前記分離装置が、（ｉ）液体クロマトグラフィー装置、（ｉｉ）ガスクロマトグラフィー装置、（ｉｉｉ）超臨界流体クロマトグラフィー装置、（ｉｖ）キャピラリー電気泳動法装置、及び（ｖ）キャピラリー電気泳動法クロマトグラフィー装置からなる群より選ばれる請求項１３６に記載の装置。
【請求項１３８】
先行する請求項のいずれかに記載の装置を含む質量分析計。
【請求項１３９】
前記第２の装置が、前記質量分析計の第１の真空室内に配置されている請求項１３８に記載の質量分析計。
【請求項１４０】
さらに、前記第２の装置の下流に第２の真空室を含む請求項１３９に記載の質量分析計。
【請求項１４１】
さらに、前記第１及び／又は第２の真空室内に配置された１つ以上のＡＣ又はＲＦイオンガイドを含む請求項１３９又は１４０に記載の質量分析計。
【請求項１４２】
さらに、前記第１の真空室の上流に配置されたさらなる真空室を含む請求項１３９、１４０又は１４１のいずれかに記載の質量分析計。
【請求項１４３】
さらに、質量分析器を含む請求項１３８〜１４２のいずれかに記載の質量分析計。
【請求項１４４】
前記質量分析器が、（ｉ）直交加速飛行時間質量分析器、（ｉｉ）軸方向加速飛行時間質量分析器、（ｉｉｉ）ポール（Ｐａｕｌ）三次元四重極イオントラップ質量分析器、（ｉｖ）二次元又はリニア四重極イオントラップ質量分析器、（ｖ）フーリエ変換イオンサイクロトロン共鳴質量分析器、（ｖｉ）扇形磁場質量分析器、（ｖｉｉ）四重極質量分析器、及び（ｖｉｉｉ）ペニングトラップ質量分析器からなる群より選ばれる請求項１４３に記載の質量分析計。
【請求項１４５】
さらに、衝突又はフラグメンテーションセルを含む請求項１３８〜１４４のいずれかに記載の質量分析計。
【請求項１４６】
前記衝突又はフラグメンテーションセルが、前記衝突又はフラグメンテーションセル内でイオンを半径方向に制限するためのＡＣ又はＲＦ電場を発生させるためのＡＣ又はＲＦ手段を含む請求項１４５に記載の質量分析計。
【請求項１４７】
前記衝突又はフラグメンテーションセルが、前記衝突又はフラグメンテーションセルの軸方向長さの少なくとも１０％、２０％、３０％、４０％、５０％、６０％、７０％、８０％、９０％又は９５％にわたって一定のＤＣ電場を発生させるための手段を含む請求項１４５又は１４６記載の質量分析計。
【請求項１４８】
さらに、イオンを前記衝突又はフラグメンテーションセルに沿ってかつこれを通過して進行させるための過渡又は時変ＤＣ電圧又はポテンシャル波形を発生させるための手段を含む請求項１４５、１４６又は１４７のいずれかに記載の質量分析計。
【請求項１４９】
前記衝突又はフラグメンテーションセルが、表面誘起分解のための表面を含む請求項１４５〜１４８のいずれかに記載の質量分析計。
【請求項１５０】
第１の装置内において、イオンをイオン移動度又は電場強度に伴うイオン移動度の変化率に応じて分離し、その後
第１の装置の下流に配置されている第２の装置において、イオンをイオン移動度又は電場強度に伴うイオン移動度の変化率に応じて分離することを含むイオン分離方法。
【請求項１５１】
請求項１５０に記載の方法を含む質量分析方法。
【発明の詳細な説明】
【技術分野】
【０００１】
本発明は、イオンを分離するための装置、イオン移動度セパレータ又はイオン移動度、質量分析計、イオン分離方法及び質量分析方法に関する。
【背景技術】
【０００２】
イオン移動度分離方法又はイオン移動度スペクトロメトリーは、大気圧においてイオン種を分離するために用いることができる方法である。この方法は、イオン移動度セパレータ又はスペクトロメータにおけるイオンの平均自由行程が粘性であってかつ分子状ではないように十分に小さいガス流という条件で、大気圧以下で用いることもできる。
【０００３】
イオン移動度スペクトロメータは、分析検出器として用いられ、多くの異なる用途を有する。イオン移動度スペクトロメータは、時として、例えば、爆発物及び化学兵器の検出に用いられる場合もある。例えば、空港では爆発物の検出にイオン移動度スペクトロメータが用いられる場合があり、一部の政府機関では、薬物乱用の現場鑑識のための家宅捜索の際にイオン移動度スペクトロメータを携行している。農薬類、化学兵器及び工業用化学薬品の現場でのモニタリングは、イオン移動度スペクトロメータの別の用途である。
【０００４】
イオン移動度セパレータは、複雑な生物学的混合物を質量分析による分析の前に迅速に分離するために用いることができる。
【０００５】
公知のイオン移動度スペクトロメータは、イオン源、イオンゲート、ドリフトチューブ及びイオン検出器を含む。被分析試料は、イオン源においてイオン化され、その後、イオンゲートに受け渡されるもしくは伝達される。その後、イオンゲートはオンとオフのパルス状態になり、イオンの短いパルスをドリフトチューブ内に送ることを可能にする。ドリフトチューブは、ドリフトチューブの長さに沿って配置された複数の電極を含む。イオンをガスの対向流に逆らってドリフトチューブに沿わせかつ通過させて推進する又は進行させるために、比較的に高い強度のＤＣ電場がドリフトチューブの長さに沿って保たれる。ドリフトチューブの出口領域に隣接してガス入口が設けられており、ドリフトチューブの入口領域に隣接してガス出口が設けられている。ガスは、イオンの移動方向と逆方向にドリフトチューブを流れるように構成されている。イオン化スペクトラムを変化させて選択性を変更するためにドリフトガスの流量を変動させてもよい。
【０００６】
イオンパケットは、イオン移動度スペクトロメータのドリフトチューブを通じて、イオン化領域からドリフトチューブの出口領域に配置されたイオン検出器に推進される。イオンは、ガスの対向流に逆らって進行する際、ドリフト領域内でイオン移動度に応じて分離される。イオンが迅速に終端速度に達するのに十分な密度のドリフトガスによって又はこれに逆らってイオンを引っ張り、推進し又は進行させるために、電場が用いられる。終端速度は、印加された電場の強度におよそ比例している。終端速度は、イオン移動度に対しても比例している。したがって、イオンは、イオン移動度に応じて互いに分離が可能である。一般に、イオンのイオン移動度は、その断面積及び電荷に密接に関連している。
【０００７】
気相中の試料のイオン移動度スペクトロメータに用いられるイオン化源には、放射性ニッケル、大気圧化学イオン化イオン源及び光イオン化イオン源が含まれる。最近では、エレクトロスプレーイオン化（「ＥＳＩ」）を用いた、液体溶液中の極性試料のイオン移動度スペクトロメトリーが可能となっている。
【０００８】
イオン移動度スペクトロメータは、周囲条件下において、簡単で安価なハイスループット・スクリーニングを実現する。
【０００９】
最近になって、電場非対称性イオン移動度（Ｆｉｅｌｄ  Ａｓｙｍｍｅｔｒｉｃ  Ｉｏｎ  Ｍｏｂｉｌｉｔｙ  Ｓｐｅｃｔｒｏｍｅｔｒｙ「ＦＡＩＭＳ」）装置として知られる、従来のイオン移動度スペクトロメータの変形品が開発された。ＦＡＩＭＳ装置は、異なる種のイオンが、イオン移動度自体ではなく、電場強度に伴うイオン移動度の変化率に応じてＦＡＩＭＳ装置内で分離される点で従来のイオン移動度スペクトロメータと異なっている。ＦＡＩＭＳ装置は、大気圧及び周囲温度において気相イオンを分離することが可能であるが、広範囲の圧力及び温度にわたって動作することも可能である。
【００１０】
電場非対称性イオン移動度スペクトロメトリー装置は、典型的には、例えば約１０，０００Ｖ／ｃｍの電場強度を有しうる、比較的強いか又は高い周期電場を利用している。イオンを分離するために用いられる周期電場又は波形は非対称である、すなわち、印加された電場又は波形の正のピーク電圧の大きさと負のピーク電圧の大きさには差がある。正のピーク電圧又は負のピーク電圧のいずれかがより高い。
【００１１】
電場非対称性イオン移動度スペクトロメトリー装置は、イオンが迅速に終端速度に達するのに十分な密度のガスによってイオンを引っ張る又は推進するために、電場を利用している。終端速度は、電場強度にほぼ比例する。しかし、この比例関係は高い電場強度において変化し、かつ化合物依存性である。したがって、イオンを互いから分離するために、電場強度に伴うイオン移動度の化合物特異的な変化を用いることができる。
【００１２】
電場強度の変化に伴うイオン移動度の変化率は、イオン移動度に直接関連しているとは現在考えられていない。電場強度に伴う移動度の変化は、現在あまり良く理解されておらず、大部分は予測不可能であると一般に考えられている。イオン移動度の変化率は、強い電場の存在下におけるイオンの歪曲に対する感受性に依存している可能性がある。
【００１３】
公知のＦＡＩＭＳ装置は、２つの金属プレート又は電極を含む。時間的に変化する非対称電場が金属プレート又は電極間で発生するように、非対称電圧又はポテンシャルが金属プレート又は電極に印加される。大きさ及び種類の異なるイオン混合物が２つの金属プレート又は電極間に導入される場合、適当な非対称電圧波形をプレート又は電極に印加することにより、ある種類のイオンは金属プレート又は電極の一方に向かってドリフトしかつそれに衝突しやすい一方で、他の種類のイオンはプレート又は電極間に位置したままとなりやすい状態が生じる。非対称電圧波形は、例えば、相対的に高い正電圧が相対的に短い時間印加され、相対的に低い負電圧が相対的に長い時間印加される（又はその逆も同様）方形波を含みうる。
【００１４】
非対称電圧又は波形の印加によって生じる電場が比較的に弱い場合（例えば、電場強度が２００Ｖ／ｃｍ未満である場合）、非対称電圧波形の印加中、イオンは前後に移動するか、又はさもなければプレート又は電極間で振動しやすくなる。イオンは、プレート又は電極のいずれかに向かって移動しにくくなる。しかし、非対称電圧又は波形の高電圧時に生じる電場が比較的に強いかあるいは高い（例えば、電場強度が、例えば約５０００Ｖ／ｃｍを超える）場合、イオンは、プレート又は電極のどちらか一方に向かってドリフトしやくなる。
【００１５】
比較的に高強度の電場が印加される際のイオン移動度は、比較的低強度の電場が印加される際のイオン移動度とは異なっているため、イオンはプレート又は電極に向ってドリフトすることになる。電場においてイオンがいかに早く移動するかはイオン移動度により規定されるため、イオンは、比較的低強度の電場において移動するよりも、比較的高強度の電場において比例して遠くへ移動することになる（又はその逆も同様である）。
【００１６】
典型的に印加される非対称電圧波形は、≧２００ｋＨｚといった比較的高い周波数を有しやすい。電圧波形の各高電圧期中に若干の余分な距離を移動することにより、一方のプレートへのイオンの正味のドリフト（ｎｅｔ  ｄｒｉｆｔ）が生じる。
【００１７】
電場強度と共に増加する移動度を示すイオンもあれば、電場強度と共に減少する移動度を示すイオンもある。その結果、非対称電圧波形の印加中、異なるイオンは、プレート又は電極間で反対方向に移動することができる。例えば、窒素又は酸素ガス中の塩化物イオンといったある種のイオンは、移動度が電場強度の関数として非常に大きく変化する。したがって、非対称波形の印加中、塩化物イオンは、プレート又は電極に向かって非常に急速にドリフトすることになる。一方、テトラプロピルアンモニウムイオンといった一部のイオンは、電場強度に伴ってごく小さいイオン移動度の相対変化しか示さず、よってプレート又は電極に向かって非常にゆっくりと移動する傾向がある。
【００１８】
金属プレート又は電極の一方に向かうイオンの相対的な又は正味のドリフトは、小さい補償ＤＣ電圧をプレート又は電極に印加することによって停止あるいは均衡させることができる。補償電圧が特定の大きさ及び極性を有するように構成されている場合、特定のイオン種を、プレート又は電極の一方に向かってイオンに働く力を相殺する電気力を受けるように配置することができる。その結果、プレート又は電極の一方に向かうイオンの正味のドリフトは全体としてゼロとなる。イオンドリフトを逆にする又は補償するために印加される電圧は、一般に、補償電圧（「ＣＶ」）として知られている。
【００１９】
塩化物イオンの移動度は高電場強度において著しく増加するため、塩化物イオンのドリフトを停止又は抑制するために必要な補償電圧は比較的高くなる。一方、テトラプロピルアンモニウムイオンのドリフトを停止又は抑制するために必要な補償電圧は比較的小さくなる。したがって、補償電圧を適切に選択及び設定することにより、ある種のイオンを選択し、ゼロの正味の力を受ける（よってプレート又は電極に衝突することなく、ＦＡＩＭＳ装置を通過させる）ようにすることができる一方で、他のイオンの大半は非ゼロの正味の力を受けることになるためプレート又は電極の一方に衝突しやすくなり、ひいては装置から失われることは明らかである。
【００２０】
ＦＡＩＭＳ装置の２つのプレート又は電極間にイオンの混合物が配置され、高電圧の非対称波形がプレート又は電極に印加される場合、異なる種類のイオンが、それらのイオンに特有の速度でプレート又は電極に向かって移動し始めることになる。特定のＤＣ補償電圧もプレート又は電極に印加される場合、ほとんどのイオンがプレートに衝突する一方、補償電圧が、非対称波形の印加によって生じるドリフトを釣り合わせる又は補償する電気力をもたらすのにちょうど適した電圧となっている一部のイオンは、プレート又は電極に向かってドリフトすることはない。かわりに、これらのイオンはＦＡＩＭＳ装置から出て来ることになる。したがって、ＦＡＩＭＳ装置を用いてイオンの複雑な混合物を分離することが可能である。ＦＡＩＭＳ装置のプレート又は電極間において均衡又は平衡状態にあるイオンの種類は、プレート又は電極に印加されるＤＣ補償電圧を調整することにより選択又は変更がすることが可能である。
【００２１】
ＦＡＩＭＳ装置内のガス流によって搬送されるイオン混合物は、ＤＣ補償電圧を走査し（すなわち、さまざまに変化させ）、プレート又は電極間の空隙を通ってうまく搬送されたイオンを同時に検出することにより、いくつかのピークに分解することができる。異なる種類のイオンは、異なる特異的な特有のＤＣ補償電圧でプレート又は電極間を移動又は通過する。このようにして観察されたピークのスペクトルは、補償電圧スペクトラムと呼ばれる。
【００２２】
別の公知の電場非対称性イオン移動度スペクトロメトリー装置は、２つの平面電極の代わりに２つの同心円筒状電極を含む。非対称電圧波形及びＤＣ補償電圧が、内側及び外側の円筒状電極に印加される。非対称波形の極性が、補償電圧がない場合に特定のイオン種を内側の円筒状電極に向かってドリフトさせるようなものである場合、イオンを内側の円筒状電極から離れるように反発させる追加の力を導入するように、適切なＤＣ補償電圧の印加を構成することができる。したがって、電極に向かうドリフトは、バランスをとる補償電場によってある一定の半径距離において釣り合わされる。イオンが内側の円筒状電極により近い場合、イオンは、内側の円筒状電極から離れて、補償電場のバランスが保たれる半径方向の位置に向って移動する。同様に、イオンが外側の円筒状電極により近い場合、イオンは、外側の円筒状電極から離れて、補償電場のバランスが保たれる半径方向の位置に移動する。その結果、異なるイオン種は、２つの同心円筒状電極間において異なる固定された半径方向の位置にフォーカスされる。イオンは、分散、空間電荷イオン間反発力及びガスの乱流・運動効果により、理想的なあるいは理論的な半径方向の位置の周囲に分散される。
【００２３】
同様のフォーカス効果は、同心球によって得ることができる。別の公知の電場非対称性イオン移動度スペクトロメトリー装置は、一方の端部で２つの同心半球の部分（ｓｅｃｔｉｏｎ）として終わっている２つの同心円筒状電極を含む。この構成は、特定のイオンをＦＡＩＭＳ装置の一方の端部においてさらに濃縮させるために用いることができる。
【発明の開示】
【発明が解決しようとする課題】
【００２４】
公知のイオン移動度スペクトロメータ又はセパレータは、これらが、移動度の異なるイオンを例えば、典型的には２０分の１、せいぜい５０分の１といった、比較的に低いか又は乏しい分解能で分離することしかできないという点で、比較的乏しい分解能を欠点として有している。公知のイオン移動度スペクトロメータ又はセパレータの分解能を決定する要素としては、初期イオンパルス幅、イオン化及びドリフト領域の両方におけるイオン間のクーロン反発力による  広がり、イオンパケットの拡散による空間的広がり、及びドリフト領域におけるイオン−分子間反応がある。分解能に対するクーロンの寄与は、初期に発生したイオンの合計数によって決まる。
【００２５】
一部の用途においては、公知のイオン移動度スペクトロメータ又はセパレータに固有の低分解能はあまりにも低く、偽陽性を招く可能性がある。例えば、イオン移動度スペクトロメータを爆発物や大量破壊兵器の神経ガスに用いられる生物化学品の検出に用いる場合、存在しうる別の無関係の化学品が検出され、目的の化学試薬と間違われる可能性がある。
【００２６】
同様に、公知の電場非対称性イオン移動度スペクトロメトリー装置もまた、比較的低い分解能を欠点として有している、すなわち、これらは電場強度に対する異なる移動度感受性を有するイオンを、典型的には、２０分の１、せいぜい５０分の１しか分解することができない。一部の用途においては、この比較的低い分解能もまた、偽陽性を招く可能性がある。
【課題を解決するための手段】
【００２７】
本発明の一局面によると、イオンをイオン移動度又は電場強度に伴うイオン移動度の変化率に応じて分離するための第１の装置と、イオンをイオン移動度又は電場強度に伴うイオン移動度の変化率に応じて分離するための第２の装置を含み、前記第１の装置の下流に第２の装置が配置される装置が提供される。
【発明を実施するための最良の形態】
【００２８】
前記第１の装置が、イオンをイオン電場強度に伴う移動度の変化率に応じて分離するように構成されていることが好ましい。上記の好適な実施形態によると、前記第１の装置が電場非対称性イオン移動度スペクトロメトリー（「ＦＡＩＭＳ」）装置を含む。
【００２９】
前記第１の装置が少なくとも第１の電極及び第２の電極を含み、使用時、イオンが前記第１及び第２の電極の間で受け取られるように配置されてもよい。一実施形態において、前記第１の電極が第１の平面プレート又は平面電極を含み、前記第２の電極が第２の平面プレート又は平面電極を含む。別の実施形態において、前記第１の電極が内側の円筒状電極を含み、前記第２の電極が外側の同心円筒状電極を含む。一実施形態によると、前記第１の電極が半球状の部分で終わり、かつ／又は前記第２の電極が半球状の部分で終わっていてもよい。ガス流を供給するための手段が設けられることが好ましく、前記ガス流は、前記第１の装置を通過するようにイオンを導く又は進行させる。
【００３０】
前記第１の装置に非対称の周期電圧波形が印加されることが好ましく、前記非対称の周期電圧波形は正のピーク電圧及び負のピーク電圧を有する。前記正のピーク電圧が、（ｉ）＜１００Ｖ、（ｉｉ）１００〜５００Ｖ、（ｉｉｉ）５００〜１０００Ｖ、（ｉｖ）１〜２ｋＶ、（ｖ）２〜３ｋＶ、（ｖｉ）３〜４ｋＶ、（ｖｉｉ）４〜５ｋＶ、（ｖｉｉｉ）５〜６ｋＶ、（ｉｘ）６〜７ｋＶ、（ｘ）７〜８ｋＶ、（ｘｉ）８〜９ｋＶ、（ｘｉｉ）９〜１０ｋＶ、及び（ｘｉｉｉ）＞１０ｋＶからなる群より選ばれる振幅を有することが好ましい。前記負のピーク電圧が、（ｉ）＜１００Ｖ、（ｉｉ）１００〜５００Ｖ、（ｉｉｉ）５００〜１０００Ｖ、（ｉｖ）１〜２ｋＶ、（ｖ）２〜３ｋＶ、（ｖｉ）３〜４ｋＶ、（ｖｉｉ）４〜５ｋＶ、（ｖｉｉｉ）５〜６ｋＶ、（ｉｘ）６〜７ｋＶ、（ｘ）７〜８ｋＶ、（ｘｉ）８〜９ｋＶ、（ｘｉｉ）９〜１０ｋＶ、及び（ｘｉｉｉ）＞１０ｋＶからなる群より選ばれる振幅を有することが好ましい。
【００３１】
前記正のピーク電圧の振幅の前記負のピーク電圧の振幅に対する比又は前記負のピーク電圧の振幅の前記正のピーク電圧の振幅に対する比が、（ｉ）＜１．５、（ｉｉ）１．５〜１．７５、（ｉｉｉ）１．７５〜２、（ｉｖ）２〜２．２５、（ｖ）２．２５〜２．５、（ｖｉ）２．５〜２．７５、（ｖｉｉ）２．７５〜３、（ｖｉｉｉ）３〜３．２５、（ｉｘ）３．２５〜３．５、（ｘ）３．５〜４、（ｘｉ）４〜５、（ｘｉｉ）５〜１０、及び（ｘｉｉｉ）＞１０からなる群より選ばれることが好ましい。
【００３２】
前記非対称の周期電圧波形が、（ｉ）＜１０Ｖ／ｃｍ、（ｉｉ）１０〜５０Ｖ／ｃｍ、（ｉｉｉ）５０〜１００Ｖ／ｃｍ、（ｉｖ）１００〜５００Ｖ／ｃｍ、（ｖ）５００〜１０００Ｖ／ｃｍ、（ｖｉ）１〜２ｋＶ／ｃｍ、（ｖｉｉ）２〜３ｋＶ／ｃｍ、（ｖｉｉｉ）３〜４ｋＶ／ｃｍ、（ｉｘ）４〜５ｋＶ／ｃｍ、（ｘ）５〜６ｋＶ／ｃｍ、（ｘｉ）６〜７ｋＶ／ｃｍ、（ｘｉｉ）７〜８ｋＶ／ｃｍ、（ｘｉｉｉ）８〜９ｋＶ／ｃｍ、（ｘｉｖ）９〜１０ｋＶ／ｃｍ、及び（ｘｖ）＞１０ｋＶ／ｃｍからなる群より選ばれる最大又は平均電場強度を有する電場を発生させることが好ましい。
【００３３】
前記第１の装置にＤＣ補償電圧が印加されることが好ましい。前記ＤＣ補償電圧が、（ｉ）＜５Ｖ、（ｉｉ）５〜１０Ｖ、（ｉｉｉ）１０〜１５Ｖ、（ｉｖ）１５〜２０Ｖ、（ｖ）２０〜５０Ｖ、（ｖｉ）５０〜１００Ｖ、及び（ｖｉｉ）＞１００Ｖからなる群より選ばれる振幅を有することが好ましい。前記ＤＣ補償電圧が、釣り合わせ又は相殺しなければ所望のイオンを前記第１の装置の電極に向かってドリフトさせる力を釣り合わせ又は相殺する働きをすることが好ましい。前記ＤＣ補償電圧が周期的に、直線的に、非直線的に、規則的に又は不規則に走査されてもよい。
【００３４】
前記第１の装置が、使用時、（ｉ）＜０．０００１ミリバール、（ｉｉ）０．０００１〜０．０００５ミリバール、（ｉｉｉ）０．０００５〜０．００１ミリバール、（ｉｖ）０．００１〜０．００５ミリバール、（ｖ）０．００５〜０．０１ミリバール、（ｖｉ）０．０１〜０．０５ミリバール、（ｖｉｉ）０．０５〜０．１ミリバール、（ｖｉｉｉ）０．１〜０．５ミリバール、（ｉｘ）０．５〜１ミリバール、（ｘ）１〜５ミリバール、（ｘｉ）５〜１０ミリバール、（ｘｉｉ）１０〜５０ミリバール、（ｘｉｉｉ）５０〜１００ミリバール、（ｘｉｖ）１００〜５００ミリバール、（ｘｖ）５００〜１０００ミリバール、及び（ｘｖｉ）＞１０００ミリバールからなる群より選ばれる圧力で動作するように構成されていることが好ましい。
【００３５】
前記第２の装置が、イオンをイオン移動度に応じて分離するように構成されていることが好ましい。前記第２の装置が、前記第１の装置から受け取られるイオン群を分離するように構成され、前記イオン群は電場強度に伴うイオン移動度の変化率に基づいて他のイオンから分離されたものであることが好ましい。前記第２の装置がイオン移動度セパレータ又はスペクトロメータを含むことが好ましい。
【００３６】
前記第２の装置が複数の電極を含むことが好ましい。前記第２の装置が、（ｉ）イオンが通過する開口部を有する複数の電極を含むイオン漏斗であって、前記開口部の直径が徐々に小さく又は大きくなっているイオン漏斗、（ｉｉ）イオンが通過する開口部を有する複数の電極を含むイオントンネルであって、前記開口部の直径が実質的に一定のままであるイオントンネル、及び（ｉｉｉ）プレート、リング又はワイヤループ電極のスタックからなる群より選ばれることが好ましい。
【００３７】
前記第２の装置が複数の電極を含み、各電極が、使用時にイオンが通過する開口部を有することが好ましい。前記第２の装置が複数の電極を含み、各電極が、実質的に円形の開口部を有することが好ましい。前記第２の装置が複数の電極を含み、各電極が、使用時にイオンが通過する１つの開口部を有することが好ましい。
【００３８】
前記第２の装置を構成する電極のうち少なくとも１０％、２０％、３０％、４０％、５０％、６０％、７０％、８０％、９０％又は９５％の電極の開口部の直径が、（ｉ）１０ｍｍ以下、（ｉｉ）９ｍｍ以下、（ｉｉｉ）８ｍｍ以下、（ｉｖ）７ｍｍ以下、（ｖ）６ｍｍ以下、（ｖｉ）５ｍｍ以下、（ｖｉｉ）４ｍｍ以下、（ｖｉｉｉ）３ｍｍ以下、（ｉｘ）２ｍｍ以下、及び（ｘ）１ｍｍ以下からなる群より選ばれることが好ましい。
【００３９】
前記第２の装置が複数の電極を含み、前記第２の装置を構成する電極のうち少なくとも１０％、２０％、３０％、４０％、５０％、６０％、７０％、８０％、９０％又は９５％が、大きさ又は面積が実質的に同じ開口部を有することが好ましい。
【００４０】
別の実施形態によると、前記第２の装置が、セグメント化されたロッドセットを含むことが好ましい。前記第２の装置が、（ｉ）１０〜２０の電極、（ｉｉ）２０〜３０の電極、（ｉｉｉ）３０〜４０の電極、（ｉｖ）４０〜５０の電極、（ｖ）５０〜６０の電極、（ｖｉ）６０〜７０の電極、（ｖｉｉ）７０〜８０の電極、（ｖｉｉｉ）８０〜９０の電極、（ｉｘ）９０〜１００の電極、（ｘ）１００〜１１０の電極、（ｘｉ）１１０〜１２０の電極、（ｘｉｉ）１２０〜１３０の電極、（ｘｉｉｉ）１３０〜１４０の電極、（ｘｉｖ）１４０〜１５０の電極、又は（ｘｖ）１５０を超える電極で構成されることが好ましい。
【００４１】
前記第２の装置が複数の電極を含み、前記電極のうち少なくとも１０％、２０％、３０％、４０％、５０％、６０％、７０％、８０％、９０％又は９５％の電極の厚さが、（ｉ）３ｍｍ以下、（ｉｉ）２．５ｍｍ以下、（ｉｉｉ）２．０ｍｍ以下、（ｉｖ）１．５ｍｍ以下、（ｖ）１．０ｍｍ以下、及び（ｖｉ）０．５ｍｍ以下からなる群より選ばれることが好ましい。
【００４２】
前記第２の装置が、（ｉ）５ｃｍ未満、（ｉｉ）５〜１０ｃｍ、（ｉｉｉ）１０〜１５ｃｍ、（ｉｖ）１５〜２０ｃｍ、（ｖ）２０〜２５ｃｍ、（ｖｉ）２５〜３０ｃｍ、及び（ｖｉｉ）３０ｃｍを超える長さからなる群より選ばれる長さを有することが好ましい。
【００４３】
前記第２の装置が複数の電極を含み、前記電極のうち少なくとも６０％、６５％、７０％、７５％、８０％、８５％、９０％又は９５％が、使用時にイオンが通過する開口部を有することが好ましい。
【００４４】
前記第２の装置が複数の電極を含み、使用時、少なくとも一部のイオンを前記第２の装置の中心軸付近に制限するために、前記第２の装置の前記電極の少なくとも一部にＡＣ又はＲＦ電圧が印加されることが好ましい。前記ＡＣ又はＲＦ電圧が、（ｉ）＜０．１ＭＨｚ、（ｉｉ）０．１〜０．５ＭＨｚ、（ｉｉｉ）０．５〜１ＭＨｚ、（ｉｖ）１〜５ＭＨｚ、及び（ｖ）＞５ＭＨｚからなる群より選ばれる範囲内の周波数を有することが好ましい。
【００４５】
一実施形態によると、前記第２の装置の少なくとも一部に渡って１以上のＤＣ電圧勾配が維持されることが好ましい。
【００４６】
一実施形態によると、前記第２の装置が１つ以上の電極を含むドリフトチューブを含み、使用時、前記ドリフトチューブの少なくとも一部に沿って１以上の軸方向ＤＣ電圧勾配が維持される。
【００４７】
一実施形態によると、前記ＤＣ電圧勾配が、（ｉ）＜１０Ｖ／ｃｍ、（ｉｉ）１０〜５０Ｖ／ｃｍ、（ｉｉｉ）５０〜１００Ｖ／ｃｍ、（ｉｖ）１００〜５００Ｖ／ｃｍ、（ｖ）５００〜１０００Ｖ／ｃｍ、（ｖｉ）１〜２ｋＶ／ｃｍ、（ｖｉｉ）２〜３ｋＶ／ｃｍ、（ｖｉｉｉ）３〜４ｋＶ／ｃｍ、（ｉｘ）４〜５ｋＶ／ｃｍ、（ｘ）５〜６ｋＶ／ｃｍ、（ｘｉ）６〜７ｋＶ／ｃｍ、（ｘｉｉ）７〜８ｋＶ／ｃｍ、（ｘｉｉｉ）８〜９ｋＶ／ｃｍ、（ｘｉｖ）９〜１０ｋＶ／ｃｍ、及び（ｘｖ）＞１０ｋＶ／ｃｍからなる群より選ばれる最大又は平均電場強度を有する電場を生じさせる。
【００４８】
特に好適な実施形態によると、前記第２の装置が複数の電極を含み、使用時、第１のイオン移動度を有する少なくとも一部のイオンが第２の異なるイオン移動度を有する他のイオンから分離されるように、１以上の過渡ＤＣ電圧又は１以上の過渡ＤＣ電圧波形が前記電極に徐々に印加される。前記１以上の過渡ＤＣ電圧又は前記１以上の過渡ＤＣ電圧波形が、前記１以上の過渡ＤＣ電圧又は前記１以上の過渡ＤＣ電圧波形が前記電極に徐々に印加される際に、前記１以上の過渡ＤＣ電圧又は前記１以上の過渡ＤＣ電圧波形により前記第１のイオン移動度を有するイオンのうち少なくとも１０％、２０％、３０％、４０％、５０％、６０％、７０％、８０％、９０％又は９５％が実質的に前記第２の装置に沿って移動されるようなものであることが好ましい。
【００４９】
一実施形態によると、前記１以上の過渡ＤＣ電圧又は前記１以上の過渡ＤＣ電圧波形が、前記１以上の過渡ＤＣ電圧又は前記１以上の過渡ＤＣ電圧波形が前記電極に徐々に印加される際に、前記第１のイオン移動度を有するイオンよりも低い度合で印加された前記ＤＣ電圧により、前記第２のイオン移動度を有するイオンのうち少なくとも１０％、２０％、３０％、４０％、５０％、６０％、７０％、８０％、９０％又は９５％が前記第２の装置に沿って移動されるようなものである。前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記第２のイオン移動度を有するイオンよりも高い速度で前記第２の装置に沿って移動されるようなものであることが好ましい。
【００５０】
一実施形態によると、前記第２の装置が、イオンをイオン移動度に応じて分離するためのイオン移動度セパレータを含み、前記イオン移動度セパレータが複数の電極を含み、イオンが前記イオン移動度セパレータの領域に向かって移動されるように、使用時に１以上の過渡ＤＣ電圧又は１以上の過渡ＤＣ電圧波形が前記電極に徐々に印加され、少なくとも１つの電極がポテンシャルを有し、前記ポテンシャルは、第１のイオン移動度を有する少なくとも一部のイオンが該ポテンシャルを通過するが、第２の異なるイオン移動度を有する他のイオンが該ポテンシャルを通過しないようなものである。前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記ポテンシャルを通過するようなものであることが好ましい。前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が前記ポテンシャルを通過しないようなものであることが好ましい。
【００５１】
前記少なくとも１つの電極が、ポテンシャルの山又は谷がもたらされるような電圧を与えられていることが好ましい。前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記第２のイオン移動度を有するイオンよりも実質的に先に前記第２の装置を出射するようなものであることが好ましい。
【００５２】
一実施形態によると、前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が前記第１のイオン移動度を有するイオンよりも実質的に後に前記第２の装置を出射するようなものである。
【００５３】
前記第１のイオン移動度を有するイオンの大部分が、前記第２のイオン移動度を有するイオンの大部分が前記第２の装置を出射するよりも時間ｔ先に前記第２の装置を出射し、ｔが、（ｉ）＜１μ秒、（ｉｉ）１〜１０μ秒、（ｉｉｉ）１０〜５０μ秒、（ｉｖ）５０〜１００μ秒、（ｖ）１００〜２００μ秒、（ｖｉ）２００〜３００μ秒、（ｖｉｉ）３００〜４００μ秒、（ｖｉｉｉ）４００〜５００μ秒、（ｉｘ）５００〜６００μ秒、（ｘ）６００〜７００μ秒、（ｘｉ）７００〜８００μ秒、（ｘｉｉ）８００〜９００μ秒、（ｘｉｉｉ）９００〜１０００μ秒、（ｘｉｖ）１．０〜１．１ｍ秒（ｘｖ）１．１〜１．２ｍ秒、（ｘｖｉ）１．２〜１．３ｍ秒、（ｘｖｉｉ）１．３〜１．４ｍ秒、（ｘｖｉｉｉ）１．４〜１．５ｍ秒、（ｘｉｘ）１．５〜１．６ｍ秒、（ｘｘ）１．６〜１．７ｍ秒、（ｘｘｉ）１．７〜１．８ｍ秒、（ｘｘｉｉ）１．８〜１．９ｍ秒、（ｘｘｉｉｉ）１．９〜２．０ｍ秒、（ｘｘｉｖ）２．０〜２．５ｍ秒、（ｘｘｖ）２．５〜３．０ｍ秒、（ｘｘｖｉ）３．０〜３．５ｍ秒、（ｘｘｖｉｉ）３．５〜４．０ｍ秒、（ｘｘｖｉｉｉ）４．０〜４．５ｍ秒、（ｘｘｉｘ）４．５〜５．０ｍ秒、（ｘｘｘ）５〜１０ｍ秒、（ｘｘｘｉ）１０〜１５ｍ秒、（ｘｘｘｉｉ）１５〜２０ｍ秒、（ｘｘｘｉｉｉ）２０〜２５ｍ秒、（ｘｘｘｉｖ）２５〜３０ｍ秒、及び（ｘｘｘｖ）＞３０ｍ秒からなる群より選ばれる範囲に含まれることが好ましい。
【００５４】
一実施形態によると、前記第２の装置が、イオンをイオン移動度に応じて分離するためのイオン移動度セパレータを含み、前記イオン移動度セパレータは、複数の電極を含み、（ｉ）イオンが前記イオン移動度セパレータの領域に向かって移動され、少なくとも１つの電極が第１のポテンシャルを有し、前記第１のポテンシャルは、少なくとも一部の第１のイオン移動度及び第２の異なるイオン移動度を有するイオンが該ポテンシャルを通過するが、他の第３の異なるイオン移動度を有するイオンが該ポテンシャルを通過しないようなものであり、（ｉｉ）前記第１及び第２のイオン移動度を有するイオンが前記イオン移動度セパレータの領域に向かって移動され、少なくとも１つの電極が第２のポテンシャルを有し、前記第２のポテンシャルは、少なくとも一部の前記第１のイオン移動度を有するイオンが該ポテンシャルを通過が、他の前記第２の異なるイオン移動度を有するイオンが該ポテンシャルを通過しないようなものであるように、前記電極に、使用時に１以上の過渡ＤＣ電圧又は１以上の過渡ＤＣ電圧波形が徐々に印加される。
【００５５】
前記１以上の過渡ＤＣ電圧又は前記１以上の過渡ＤＣ電圧波形及び前記第１のポテンシャルが、前記第１のイオン移動度を有するイオンのうち少なくとも１０％、２０％、３０％、４０％、５０％、６０％、７０％、８０％、９０％又は９５％が前記第１のポテンシャルを通過するようなものであることが好ましい。前記１以上の過渡ＤＣ電圧又は前記１以上の過渡ＤＣ電圧波形及び前記第１のポテンシャルが、前記第２のイオン移動度を有するイオンのうち少なくとも１０％、２０％、３０％、４０％、５０％、６０％、７０％、８０％、９０％又は９５％が前記第１のポテンシャルを通過するようなものであることが好ましい。
【００５６】
一実施形態によると、前記１以上の過渡ＤＣ電圧又は前記１以上の過渡ＤＣ電圧波形及び前記第１のポテンシャルが、前記第３のイオン移動度を有するイオンのうち少なくとも１０％、２０％、３０％、４０％、５０％、６０％、７０％、８０％、９０％又は９５％が前記第１のポテンシャルを通過しないようなものである。
【００５７】
前記１以上の過渡ＤＣ電圧又は前記１以上の過渡ＤＣ電圧波形及び前記第２のポテンシャルが、前記第１のイオン移動度を有するイオンのうち少なくとも１０％、２０％、３０％、４０％、５０％、６０％、７０％、８０％、９０％又は９５％が前記第２のポテンシャルを通過するようなものであることが好ましい。同様に、前記１以上の過渡ＤＣ電圧又は前記１以上の過渡ＤＣ電圧波形及び前記第２のポテンシャルが、前記第２のイオン移動度を有するイオンのうち少なくとも１０％、２０％、３０％、４０％、５０％、６０％、７０％、８０％、９０％又は９５％が前記第２のポテンシャルを通過しないようなものであることが好ましい。
【００５８】
前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が、前記第１及び第３のイオン移動度を有するイオンよりも実質的に先に前記イオン移動度セパレータを出射するようなものであることが好ましい。
【００５９】
一実施形態によると、前記１以上の過渡ＤＣ電圧又は前記１以上の過渡ＤＣ電圧波形が、前記第１及び第３のイオン移動度を有するイオンのうち少なくとも１０％、２０％、３０％、４０％、５０％、６０％、７０％、８０％、９０％又は９５％が、前記第２のイオン移動度を有するイオンよりも実質的に後に、前記イオン移動度セパレータを出射するようなものである。
【００６０】
前記第２のイオン移動度を有するイオンの大部分が、前記第１及び第３のイオン移動度を有するイオンの大部分が前記イオン移動度セパレータを出射するよりも時間ｔ先に前記イオン移動度セパレータを出射し、ｔが、（ｉ）＜１μ秒、（ｉｉ）１〜１０μ秒、（ｉｉｉ）１０〜５０μ秒、（ｉｖ）５０〜１００μ秒、（ｖ）１００〜２００μ秒、（ｖｉ）２００〜３００μ秒、（ｖｉｉ）３００〜４００μ秒、（ｖｉｉｉ）４００〜５００μ秒、（ｉｘ）５００〜６００μ秒、（ｘ）６００〜７００μ秒、（ｘｉ）７００〜８００μ秒、（ｘｉｉ）８００〜９００μ秒、（ｘｉｉｉ）９００〜１０００μ秒、（ｘｉｖ）１．０〜１．１ｍ秒（ｘｖ）１．１〜１．２ｍ秒、（ｘｖｉ）１．２〜１．３ｍ秒、（ｘｖｉｉ）１．３〜１．４ｍ秒、（ｘｖｉｉｉ）１．４〜１．５ｍ秒、（ｘｉｘ）１．５〜１．６ｍ秒、（ｘｘ）１．６〜１．７ｍ秒、（ｘｘｉ）１．７〜１．８ｍ秒、（ｘｘｉｉ）１．８〜１．９ｍ秒、（ｘｘｉｉｉ）１．９〜２．０ｍ秒、（ｘｘｉｖ）２．０〜２．５ｍ秒、（ｘｘｖ）２．５〜３．０ｍ秒、（ｘｘｖｉ）３．０〜３．５ｍ秒、（ｘｘｖｉｉ）３．５〜４．０ｍ秒、（ｘｘｖｉｉｉ）４．０〜４．５ｍ秒、（ｘｘｉｘ）４．５〜５．０ｍ秒、（ｘｘｘ）５〜１０ｍ秒、（ｘｘｘｉ）１０〜１５ｍ秒、（ｘｘｘｉｉ）１５〜２０ｍ秒、（ｘｘｘｉｉｉ）２０〜２５ｍ秒、（ｘｘｘｉｖ）２５〜３０ｍ秒、及び（ｘｘｘｖ）＞３０ｍ秒からなる群より選ばれる範囲に含まれることが好ましい。
【００６１】
一実施形態によると、前記第２の装置に印加される前記１以上の過渡ＤＣ電圧が、（ｉ）ポテンシャルの山又は障壁、（ｉｉ）ポテンシャル井戸、（ｉｉｉ）ポテンシャルの山又は障壁とポテンシャル井戸との組み合わせ、（ｉｖ）多数のポテンシャルの山又は障壁、（ｖ）多数のポテンシャル井戸、又は（ｖｉ）多数のポテンシャルの山又は障壁と多数のポテンシャル井戸との組み合わせを生じさせる。１以上の過渡ＤＣ電圧波形が方形波等の反復波形を含むことが好ましい。
【００６２】
一実施形態によると、前記第２の装置に印加される前記１以上の過渡ＤＣ電圧波形が、中間領域によって分離された複数のポテンシャルピーク又は井戸を生じさせる。前記中間領域における前記ＤＣ電圧勾配が非ゼロである、例えば、中間領域において、前記ＤＣ電圧勾配が正又は負であることが好ましい。前記中間領域における前記ＤＣ電圧勾配が直線的であることが好ましい。あるいは、前記中間領域における前記ＤＣ電圧勾配は非直線的である。一実施形態によると、前記中間領域における前記ＤＣ電圧勾配が指数関数的に増加又は減少する。
【００６３】
前記ポテンシャルピーク又は井戸の振幅が実質的に一定のままであることが好ましい。前記ポテンシャルピーク又は井戸の振幅が徐々に大きく又は小さくなってもよい。前記ポテンシャルピーク又は井戸の振幅が直線的に又は非直線的に増加又は減少してもよい。
【００６４】
一実施形態によると、使用時、前記第２の装置の長さの少なくとも一部に沿って軸方向ＤＣ電圧勾配が維持され、前記軸方向電圧勾配が経時的に変化する。
【００６５】
前記第２の装置が、第１の基準ポテンシャルに保たれた第１の電極と、第２の基準ポテンシャルに保たれた第２の電極と、第３の基準ポテンシャルに保たれた第３の電極とを含むイオン移動度セパレータを含み、
第１の時間ｔ1において、前記第１の電極が前記第１の基準ポテンシャルより上又は下の第１のポテンシャルに保たれるように、前記第１の電極に第１のＤＣ電圧が供給され、
それ以降の第２の時間ｔ2において、前記第２の電極が前記第２の基準ポテンシャルより上又は下の第２のポテンシャルに保たれるように前記第２の電極に第２のＤＣ電圧が供給され、
それ以降の第３の時間ｔ3において、前記第３の電極が前記第３の基準ポテンシャルより上又は下の第３のポテンシャルに保たれるように前記第３の電極に第３のＤＣ電圧が供給されることが好ましい。
【００６６】
一実施形態によると、前記第１の時間ｔ1において、前記第２の電極が前記第２の基準ポテンシャルにあり、前記第３の電極が前記第３の基準ポテンシャルにあり、
前記第２の時間ｔ2において、前記第１の電極が前記第１のポテンシャルにあり、前記第３の電極が前記第３の基準ポテンシャルにあり、
前記第３の時間ｔ3において、前記第１の電極が前記第１のポテンシャルにあり、前記第２の電極が前記第２のポテンシャルにある。
【００６７】
一実施形態によると、前記第１の時間ｔ1において、前記第２の電極が前記第２の基準ポテンシャルにあり、前記第３の電極が前記第３の基準ポテンシャルにあり、
前記第２の時間ｔ2において、前記第１の電極が前記第１の基準ポテンシャルに戻されるように前記第１の電極には前記第１のＤＣ電圧がもはや供給されず、前記第３の電極が前記第３の基準ポテンシャルにあり、
前記第３の時間ｔ3において、前記第１の電極が前記第１の基準ポテンシャルにあり、前記第２の電極が前記第２の基準ポテンシャルに戻されるように前記第２の電極には前記第２のＤＣ電圧がもはや供給されない。
【００６８】
前記第１、第２及び第３の基準ポテンシャルが実質的に同じであることが好ましい。前記第１、第２及び第３のＤＣ電圧が実質的に同じであることが好ましい。前記第１、第２及び第３のポテンシャルが実質的に同じであることが好ましい。
【００６９】
一実施形態によると、前記第２の装置が、３、４、５、６、７、８、９、１０、１１、１２、１３、１４、１５、１６、１７、１８、１９、２０、２１、２２、２３、２４、２５、２６、２７、２８、２９、３０又は＞３０のセグメントを含むイオン移動度セパレータを含み、各セグメントが、１、２、３、４、５、６、７、８、９、１０、１１、１２、１３、１４、１５、１６、１７、１８、１９、２０、２１、２２、２３、２４、２５、２６、２７、２８、２９、３０又は＞３０の電極を含み、１つのセグメント内の前記電極が実質的に同じＤＣポテンシャルに維持される。複数のセグメントが実質的に同じＤＣポテンシャルに維持されることが好ましい。各セグメントが、そのｎ番目後のセグメントと実質的に同じＤＣポテンシャルに保持され、ｎが、３、４、５、６、７、８、９、１０、１１、１２、１３、１４、１５、１６、１７、１８、１９、２０、２１、２２、２３、２４、２５、２６、２７、２８、２９、３０又は＞３０であることが好ましい。
【００７０】
一実施形態によると、イオンがＡＣ又はＲＦ電場により前記第１の装置及び／又は前記第２の装置内で半径方向（ｒａｄｉａｌｌｙ）に制限される。イオンが擬ポテンシャル井戸において前記第１の装置及び／又は前記第２の装置内で半径方向に制限され、実ポテンシャル障壁又は井戸によって軸方向に移動されることが好ましい。
【００７１】
一実施形態によると、イオンが前記第１の装置及び／又は前記第２の装置の長さの少なくとも一部に沿って進行するように、使用時、前記第１の装置及び／又は前記第２の装置の少なくとも一部の電極に１以上のＡＣ又はＲＦ電圧波形が印加される。イオンが前記第１の装置及び／又は前記第２の装置を通過する通過時間が、（ｉ）２０ｍ秒以下、（ｉｉ）１０ｍ秒以下、（ｉｉｉ）５ｍ秒以下、（ｉｖ）１ｍ秒以下、及び（ｖ）０．５ｍ秒以下からなる群より選ばれることが好ましい。
【００７２】
前記第２の装置が、使用時、（ｉ）０．０００１ミリバール以上、（ｉｉ）０．０００５ミリバール以上、（ｉｉｉ）０．００１ミリバール以上、（ｉｖ）０．００５ミリバール以上、（ｖ）０．０１ミリバール以上、（ｖｉ）０．０５ミリバール以上、（ｖｉｉ）０．１ミリバール以上、（ｖｉｉｉ）０．５ミリバール以上、（ｉｘ）１ミリバール以上、（ｘ）５ミリバール以上、及び（ｘｉ）１０ミリバール以上からなる群より選ばれる圧力に維持されることが好ましい。前記第２の装置が、使用時、（ｉ）１０ミリバール以下、（ｉｉ）５ミリバール以下、（ｉｉｉ）１ミリバール以下、（ｉｖ）０．５ミリバール以下、（ｖ）０．１ミリバール以下、（ｖｉ）０．０５ミリバール以下、（ｖｉｉ）０．０１ミリバール以下、（ｖｉｉｉ）０．００５ミリバール以下、（ｉｘ）０．００１ミリバール以下、（ｘ）０．０００５ミリバール以下、及び（ｘｉ）０．０００１ミリバール以下からなる群より選ばれる圧力に維持されることが好ましい。前記第２の装置が、使用時、（ｉ）０．０００１と１０ミリバールとの間、（ｉｉ）０．０００１と１ミリバールとの間、（ｉｉｉ）０．０００１と０．１ミリバールとの間、（ｉｖ）０．０００１と０．０１ミリバールとの間、（ｖ）０．０００１と０．００１ミリバールとの間、（ｖｉ）０．００１と１０ミリバールとの間、（ｖｉｉ）０．００１と１ミリバールとの間、（ｖｉｉｉ）０．００１と０．１ミリバールとの間、（ｉｘ）０．００１と０．０１ミリバールとの間、（ｘ）０．０１と１０ミリバールとの間、（ｘｉ）０．０１と１ミリバールとの間、（ｘｉｉ）０．０１と０．１ミリバールとの間、（ｘｉｉｉ）０．１と１０ミリバールとの間、（ｘｉｖ）０．１と１ミリバールとの間、及び（ｘｖ）１と１０ミリバールとの間からなる群より選ばれる圧力に維持されることが好ましい。
【００７３】
一実施形態によると、前記第１の装置及び／又は前記第２の装置が、使用時、前記第１の装置及び／又は前記第２の装置を通過するイオンに粘性抵抗がかかるような圧力に維持される。使用時、１以上の過渡ＤＣ電圧又は１以上の過渡ＤＣ電圧波形が、前記第１の装置及び／又は前記第２の装置に沿って、最初に第１の軸方向位置に供給され、その後、引き続き第２の異なる軸方向位置、そして第３の異なる軸方向位置に供給されることが好ましい。
【００７４】
少なくとも一部のイオンが前記第１の装置及び／又は前記第２の装置に沿って進行するように、１以上の過渡ＤＣ電圧又は１以上の過渡ＤＣ電圧波形が前記第１の装置及び／又は前記第２の装置の一方の端部から前記第１の装置及び／又は前記第２の装置の別の端部に移動することが好ましい。前記第１の装置及び／又は前記第２の装置の電極に印加される１以上の過渡ＤＣ電圧又は１以上の過渡ＤＣ電圧波形が、少なくとも２、３、４、５、６、７、８、９又は１０の異なる振幅を有することが好ましい。前記第１の装置及び／又は前記第２の装置の電極に印加される１以上の過渡ＤＣ電圧又は１以上の過渡ＤＣ電圧波形の振幅が、経時的にほぼ一定のままであることが好ましい。あるいは、前記第１の装置及び／又は前記第２の装置の電極に印加される１以上の過渡ＤＣ電圧又は１以上の過渡ＤＣ電圧波形の振幅が、経時的に変化してもよい。前記１以上の過渡ＤＣ電圧又は前記１以上の過渡ＤＣ電圧波形の振幅が、（ｉ）経時的に増加、（ｉｉ）経時的に増加後、減少、（ｉｉｉ）経時的に減少、又は（ｉｖ）経時的に減少後、増加してもよい。
【００７５】
前記第１の装置及び／又は前記第２の装置が、上流の入口領域と、下流の出口領域と中間領域とを含んでもよく、
前記入口領域において、前記１以上の過渡ＤＣ電圧又は前記１以上の過渡ＤＣ電圧波形の振幅が第１の振幅を有し、
前記中間領域において、前記１以上の過渡ＤＣ電圧又は前記１以上の過渡ＤＣ電圧波形の振幅が第２の振幅を有し、
前記出口領域において、前記１以上の過渡ＤＣ電圧又は前記１以上の過渡ＤＣ電圧波形の振幅が第３の振幅を有する。
【００７６】
前記入口及び／又は出口領域が、前記第１の装置及び／又は前記第２の装置の合計軸方向長さの、（ｉ）＜５％、（ｉｉ）５〜１０％、（ｉｉｉ）１０〜１５％、（ｉｖ）１５〜２０％、（ｖ）２０〜２５％、（ｖｉ）２５〜３０％、（ｖｉｉ）３０〜３５％、（ｖｉｉｉ）３５〜４０％、及び（ｉｘ）４０〜４５％からなる群より選ばれる割合を含むことが好ましい。
【００７７】
一実施形態によると、前記第１及び／又は第３の振幅が実質的にゼロであり、前記第２の振幅が実質的に非ゼロである。前記第２の振幅が前記第１の振幅より大きく、かつ／又は前記第２の振幅が前記第３の振幅より大きいことが好ましい。
【００７８】
一実施形態によると、前記第１の装置及び／又は前記第２の装置の電極に印加される１以上の過渡ＤＣ電圧又は１以上の過渡ＤＣ電圧波形が、使用時、前記第１の装置及び／又は前記第２の装置に沿って第１の速度で進む。前記第１の速度が、（ｉ）実質的に一定のままである、（ｉｉ）変化する、（ｉｉｉ）増加する、（ｉｖ）増加後、減少する、（ｖ）減少する、（ｖｉ）減少後、増加する、（ｖｉｉ）実質的にゼロに減少する、（ｖｉｉｉ）方向が逆転する、又は（ｉｘ）実質的にゼロに減少後、方向が逆転することが好ましい。
【００７９】
一実施形態によると、前記１以上の過渡ＤＣ電圧又は前記１以上の過渡ＤＣ電圧波形が、前記第１の装置及び／又は前記第２の装置内の一部のイオンを前記第１の装置及び／又は前記第２の装置に沿って第２の異なる速度で進ませる。前記１以上の過渡ＤＣ電圧又は前記１以上の過渡ＤＣ電圧波形が、前記第１の装置及び／又は前記第２の装置の一部のイオンを前記第１の装置及び／又は前記第２の装置に沿って第３の異なる速度で進ませることが好ましい。前記１以上の過渡ＤＣ電圧又は前記１以上の過渡ＤＣ電圧波形が、前記第１の装置及び／又は前記第２の装置内の一部のイオンを前記第１の装置及び／又は前記第２の装置に沿って第４の異なる速度で進ませることが好ましい。
【００８０】
一実施形態によると、前記１以上の過渡ＤＣ電圧又は前記１以上の過渡ＤＣ電圧波形が、前記第１の装置及び／又は前記第２の装置内の一部のイオンを前記第１の装置及び／又は前記第２の装置に沿って第５の異なる速度で進ませる。前記第１の速度、及び前記第２及び／又は前記第３及び／又は前記第４及び／又は前記第５の速度の差が、（ｉ）５０ｍ／秒以下、（ｉｉ）４０ｍ／秒以下、（ｉｉｉ）３０ｍ／秒以下、（ｉｖ）２０ｍ／秒以下、（ｖ）１０ｍ／秒以下、（ｖｉ）５ｍ／秒以下、及び（ｖｉｉ）１ｍ／秒以下からなる群より選ばれることが好ましい。
【００８１】
前記第１の速度が、（ｉ）１０〜２５０ｍ／秒、（ｉｉ）２５０〜５００ｍ／秒、（ｉｉｉ）５００〜７５０ｍ／秒、（ｉｖ）７５０〜１０００ｍ／秒、（ｖ）１０００〜１２５０ｍ／秒、（ｖｉ）１２５０〜１５００ｍ／秒、（ｖｉｉ）１５００〜１７５０ｍ／秒、（ｖｉｉｉ）１７５０〜２０００ｍ／秒、（ｉｘ）２０００〜２２５０ｍ／秒、（ｘ）２２５０〜２５００ｍ／秒、（ｘｉ）２５００〜２７５０ｍ／秒、及び（ｘｉｉ）２７５０〜３０００ｍ／秒からなる群より選ばれることが好ましい。前記第２及び／又は前記第３及び／又は前記第４及び／又は前記第５の速度が、（ｉ）１０〜２５０ｍ／秒、（ｉｉ）２５０〜５００ｍ／秒、（ｉｉｉ）５００〜７５０ｍ／秒、（ｉｖ）７５０〜１０００ｍ／秒、（ｖ）１０００〜１２５０ｍ／秒、（ｖｉ）１２５０〜１５００ｍ／秒、（ｖｉｉ）１５００〜１７５０ｍ／秒、（ｖｉｉｉ）１７５０〜２０００ｍ／秒、（ｉｘ）２０００〜２２５０ｍ／秒、（ｘ）２２５０〜２５００ｍ／秒、（ｘｉ）２５００〜２７５０ｍ／秒、及び（ｘｉｉ）２７５０〜３０００ｍ／秒からなる群より選ばれることが好ましい。
【００８２】
一実施形態によると、前記第１の装置及び／又は前記第２の装置の電極に印加される１以上の過渡ＤＣ電圧又は１以上の過渡ＤＣ電圧波形が周波数を有し、前記周波数は、（ｉ）実質的に一定のままである、（ｉｉ）変化する、（ｉｉｉ）増加する、（ｉｖ）増加後、減少する、（ｖ）減少する、又は（ｖｉ）減少後、増加する。
【００８３】
一実施形態によると、１以上の過渡ＤＣ電圧又は１以上の過渡ＤＣ電圧波形が、第１の装置及び／又は前記第２の装置の電極に印加され、かつ波長を有し、前記波長は、（ｉ）実質的に一定のままである、（ｉｉ）変化する、（ｉｉｉ）増加する、（ｉｖ）増加後、減少する、（ｖ）減少する、又は（ｖｉ）減少後、増加する。
【００８４】
一実施形態によると、２以上の過渡ＤＣ電圧又は２以上の過渡ＤＣ電圧波形が、前記第１の装置及び／又は前記第２の装置に印加され、かつ前記第１の装置及び／又は前記第２の装置に沿って同時に進む。一実施形態によると、前記２以上の過渡ＤＣ電圧又は前記２以上の過渡ＤＣ電圧波形が、（ｉ）同じ方向に、（ｉｉ）逆方向に、（ｉｉｉ）互いに向かって、又は（ｉｖ）互いから離れて移動するように構成されている。
【００８５】
１以上の過渡ＤＣ電圧又は１以上の過渡ＤＣ電圧波形が前記第１の装置及び／又は前記第２の装置に沿って進み、少なくとも１つの実質的に定常の過渡ＤＣポテンシャル電圧又は電圧波形が、前記第１の装置及び／又は前記第２の装置に沿った位置に供給されることが好ましい。
【００８６】
１以上の過渡ＤＣ電圧又は１以上の過渡ＤＣ電圧波形が、繰り返し発生され、かつ、使用時に前記第１の装置及び／又は前記第２の装置に沿って進み、前記１以上の過渡ＤＣ電圧又は前記１以上の過渡ＤＣ電圧波形を発生させる周波数が、（ｉ）実質的に一定のままである、（ｉｉ）変化する、（ｉｉｉ）増加する、（ｉｖ）増加後、減少する、（ｖ）減少する、又は（ｖｉ）減少後、増加することが好ましい。
【００８７】
一実施形態によると、使用時、前記第１の装置及び／又は前記第２の装置への入口において連続イオンビームが受け取られる。あるいは、一実施形態によると、使用時、前記第１の装置及び／又は前記第２の装置への入口においてイオンパケットが受け取られる。使用時、前記第１の装置及び／又は前記第２の装置の出口からイオンパルスが出て来ることが好ましい。
【００８８】
一実施形態によると、上記装置はイオン検出器をさらに含み、前記イオン検出器は、使用時、前記第１の装置及び／又は前記第２の装置の出口から出て来る前記イオンパルスに対して実質的に位相が固定されるように構成されている。
【００８９】
一実施形態によると、上記装置はドリフト領域内にイオンを注入するための電極を含む飛行時間質量分析器をさらに含み、前記電極は、使用時、前記第１の装置及び／又は前記第２の装置の出口から出て来る前記イオンパルスと実質的に同期して通電されるように構成されている。
【００９０】
前記第１の装置及び／又は前記第２の装置が複数の電極を含み、前記電極のうち少なくとも１０％、２０％、３０％、４０％、５０％、６０％、７０％、８０％、９０％又は９５％が、ＤＣ電圧源、及びＡＣ又はＲＦ電圧源の両方に接続されていることが好ましい。一実施形態によると、前記第１の装置及び／又は前記第２の装置が複数の電極を含み、軸方向に隣接する電極に１８０度の位相差を有するＡＣ又はＲＦ電圧が供給される。
【００９１】
一実施形態によると、前記第２の装置は、（ｉ）＜０．０００１ミリバール、（ｉｉ）０．０００１〜０．０００５ミリバール、（ｉｉｉ）０．０００５〜０．００１ミリバール、（ｉｖ）０．００１〜０．００５ミリバール、（ｖ）０．００５〜０．０１ミリバール、（ｖｉ）０．０１〜０．０５ミリバール、（ｖｉｉ）０．０５〜０．１ミリバール、（ｖｉｉｉ）０．１〜０．５ミリバール、（ｉｘ）０．５〜１ミリバール、（ｘ）１〜５ミリバール、（ｘｉ）５〜１０ミリバール、（ｘｉｉ）１０〜５０ミリバール、（ｘｉｉｉ）５０〜１００ミリバール、（ｘｉｖ）１００〜５００ミリバール、（ｘｖ）５００〜１０００ミリバール、及び（ｘｖｉ）＞１０００ミリバールからなる群より選ばれる圧力で動作するように構成されている。
【００９２】
一実施形態によると、前記第２の装置はガス源を供給するための手段を含み、使用時、前記ガスが、前記第２の装置を通るイオンの移動方向に逆らって流れる。
【００９３】
やや好適な実施形態によると、前記第１の装置は、イオンをイオン移動度に応じて分離するように構成されている、すなわち、好適な実施形態を参照して上記又は下記に説明される全ての局面を組み込んだイオン移動度セパレータ又はスペクトロメータを含んでもよい。同様に、やや好適な実施形態によると、前記第２の装置は、イオンを電場強度に伴うイオン移動度の変化率に応じて分離するように構成されてもよい、すなわち、ＦＡＩＭＳ装置を含んでもよい。この場合も同様に、やや好適な実施形態によると、上記第２の装置は、好適な実施形態を参照して上記及び下記に説明される全ての局面を組み込んでいてもよい。
【００９４】
前記第２の装置が、イオンをイオン移動度に応じて分離するためのドリフトチューブ又は領域を含み、前記第２の装置は、前記ドリフトチューブ又は領域を通過したイオンを検出するための前記ドリフトチューブ又は領域の出口に配置されたイオン検出器をさらに含むことが好ましい。
【００９５】
一実施形態によると、前記第２の装置が、前記ドリフトチューブ又は領域の上流領域に配置されたゲート電極又はメッシュ電極を含み、前記ドリフトチューブ又は領域内にイオンをパルス化するために、前記ゲート電極又はメッシュ電極に周期的に電圧が印加される。前記第２の装置が、前記イオン検出器を遮断するために前記ドリフトチューブ又は領域の下流領域に配置された電極又はメッシュ電極を含んでもよい。
【００９６】
一実施形態によると、前記第２の装置が、イオンをイオン移動度に応じて分離するためのドリフトチューブ又は領域を有し、前記第２の装置は、イオンを前記ドリフトチューブ又は領域内に直交加速するための直交加速電極をさらに含む。記第２の装置が、イオンを捕捉するためのイオントラップ領域及びイオンがイオン移動度に応じて分離されるドリフト領域を含んでもよい。前記トラップ領域が、前記トラップ領域内でイオンを軸方向に制限するための少なくとも１つの電極又はメッシュ電極を含み、使用時、イオンは、前記トラップ領域から前記ドリフト領域内に周期的に放出又はパルス排出されてもよい。使用時、イオンが前記トラップ領域内に蓄積される一方、他のイオンは、前記ドリフト領域内においてイオン移動度に応じて分離されることが好ましい。
【００９７】
上記装置は、連続イオン源又はパルス状イオン源をさらに含むことが好ましい。一実施形態によると、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザー脱離イオン化（「ＭＡＬＤＩ」）イオン源、（ｖ）レーザー脱離イオン化（「ＬＤＩ」）イオン源、（ｖｉ）大気圧イオン化（「ＡＰＩ」）イオン源、（ｖｉｉ）シリコン上脱離イオン化（「ＤＩＯＳ」）イオン源、（ｖｉｉｉ）電子衝撃（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、及び（ｘｖｉ）ニッケル６３放射性イオン源（Ｎｉｃｋｅｌ−６３  ｒａｄｉｏａｃｔｉｖｅ  ｉｏｎ  ｓｏｕｒｃｅ）からなる群より選ばれるイオン源を設けてもよい。
【００９８】
上記装置は、被分析試料をイオン化の前に分離するための分離装置をさらに含んでもよい。前記分離装置が、（ｉ）液体クロマトグラフィー装置、（ｉｉ）ガスクロマトグラフィー装置、（ｉｉｉ）超臨界流体クロマトグラフィー装置、（ｉｖ）キャピラリー電気泳動法装置、及び（ｖ）キャピラリー電気泳動法クロマトグラフィー装置からなる群より選ばれることが好ましい。
【００９９】
本発明の一局面によると、上記に説明した装置を含む質量分析計が提供される。前記第２の装置が、前記質量分析計の第１の真空室内に配置されていることが好ましい。一実施形態によると、上記質量分析計は、前記第２の装置の下流に第２の真空室をさらに含む。
【０１００】
前記第１及び／又は第２の真空室内に１つ以上のＡＣ又はＲＦイオンガイドが配置されることが好ましい。一実施形態によると、上記質量分析計は、前記第１の真空室の上流に配置されたさらなる真空室をさらに含む。
【０１０１】
一実施形態によると、上記質量分析計は、質量分析器をさらに含む。前記質量分析器が、（ｉ）直交加速飛行時間質量分析器、（ｉｉ）軸方向加速飛行時間質量分析器、（ｉｉｉ）ポール（Ｐａｕｌ）三次元四重極イオントラップ質量分析器、（ｉｖ）二次元又はリニア四重極イオントラップ質量分析器、（ｖ）フーリエ変換イオンサイクロトロン共鳴質量分析器、（ｖｉ）扇形磁場質量分析器、（ｖｉｉ）四重極質量分析器、及び（ｖｉｉｉ）ペニングトラップ質量分析器からなる群より選ばれることが好ましい。
【０１０２】
一実施形態によると、上記質量分析計は、衝突又はフラグメンテーションセルをさらに含む。前記衝突又はフラグメンテーションセルが、前記衝突又はフラグメンテーションセル内でイオンを半径方向に制限するためのＡＣ又はＲＦ電場を発生させるためのＡＣ又はＲＦ手段を含むことが好ましい。前記衝突又はフラグメンテーションセルが、前記衝突又はフラグメンテーションセルの軸方向長さの少なくとも１０％、２０％、３０％、４０％、５０％、６０％、７０％、８０％、９０％又は９５％にわたって一定のＤＣ電場を発生させるための手段を含むことが好ましい。イオンを前記衝突又はフラグメンテーションセルに沿ってかつこれを通過して進行させるための過渡又は時変ＤＣ電圧又はポテンシャル波形を発生させるための手段がさらに設けられることが好ましい。前記衝突又はフラグメンテーションセルは、表面誘起分解のための表面を含んでもよい。
【０１０３】
本発明の別の局面によると、第１の装置内において、イオンをイオン移動度又は電場強度に伴うイオン移動度の変化率に応じて分離し、その後
第１の装置の下流に配置されている第２の装置において、イオンをイオン移動度又は電場強度に伴うイオン移動度の変化率に応じて分離することを含むイオン分離方法が提供される。
【０１０４】
本発明のさらなる局面によると、上記に説明したイオンの分離方法を含む質量分析方法が提供される。
【０１０５】
上記の好適な実施形態は、イオン移動度セパレータ又はスペクトロメータと直列に接続された電場非対称性イオン移動度スペクトロメトリー装置を含む装置に関する。
【０１０６】
被分析試料は、まず、イオン源においてイオン化されることが好ましい。その後、イオンは、これらが好ましくは電場強度に伴うイオン移動度の変化率に応じて分離される電場非対称性イオン移動度スペクトロメトリー（「ＦＡＩＭＳ」）装置を好ましくは含む第１の装置内に送られることが好ましい。同様の電場強度依存イオン移動度を有するイオンがＦＡＩＭＳ装置から出て来ることが好ましく、その後、好ましくはイオンをイオン移動度に応じて分離するためのイオン移動度セパレータ又はスペクトロメータを含む第２の装置に送られる又は伝達されることが好ましい。イオン移動度セパレータ又はスペクトロメータは、ドリフトチューブを含むことが好ましい。その後、イオンは、イオン移動度セパレータ又はスペクトロメータにおいてイオン移動度に応じて分離されることが好ましい。その後、これらのイオンの少なくとも一部はイオン検出器によって検出されることが好ましい。
【０１０７】
一般に、イオンの移動度は、その断面積に反比例し、かつその電荷に比例している。したがって、イオン移動度セパレータ又はスペクトロメータのドリフトチューブを通るイオンのドリフト時間は、ドリフトチューブの長さにほぼ比例し、かつドリフトチューブの長さに沿って維持されるイオン移動度及び電場強度に反比例していることが好ましい。よって、イオン移動度セパレータ又はスペクトロメータを通るイオンのドリフト時間は、イオンの断面積におよそ比例している。
【０１０８】
一方、ＦＡＩＭＳ装置における電場強度に伴うイオン移動度の変化率は、通常予測不可能である。これは、イオン移動度にも、イオンの断面積にも、イオンの電荷にも直接比例しているとは考えられていない。
【０１０９】
したがって、イオン移動度セパレータ又はスペクトロメータにおけるイオンの分離を決定するパラメータは、電場非対称性イオン移動度スペクトロメトリー装置におけるイオンの分離を決定するパラメータとは全く異なる。したがって、好適な実施形態によると、まずＦＡＩＭＳ装置を通過させ、その後、イオン移動度セパレータ又はスペクトロメータを通過させることにより、イオンを様々に分離することができる。したがって、ＦＡＩＭＳ装置のイオン分離特性は、イオン移動度セパレータ又はスペクトロメータのイオン分離特性と、少なくともある程度、異なるとともに相互補完的である。ＦＡＩＭＳ装置をイオン移動度セパレータ又はスペクトロメータと直列に組み合わせることにより、より大きい又は高い総合イオン分離能力又は特異性が実現される。したがって、上記の好適な実施形態によると、イオンは、はるかに大きい分解能で分離される。
【０１１０】
上記の好適な実施形態において、イオンは、まず、電場非対称性イオン移動度スペクトロメトリー装置を通過することが好ましい。ＦＡＩＭＳ装置から出て来るイオンは、その後、好ましくはドリフトチューブを含むイオン移動度セパレータ又はスペクトロメータを通過するように導かれるか又は配置されることが好ましい。移動度セパレータ又はイオン移動度スペクトロメータは、電場非対称性イオン移動度スペクトロメトリー装置から前方へ伝達された全てのイオンを分離及び検出することが好ましい。
【０１１１】
電場非対称性イオン移動度スペクトロメトリー装置は、異なる設定に切り替えるか、又は、ある範囲の異なる設定全体もしくは設定間で走査することができる。このようにすれば、イオン源から出て来るイオンの二次元的な分離を行うことができる。実質上、一方の軸又は次元においてイオンはイオン移動度に応じて分離され、他方の軸又は次元においてイオンは電場強度に伴うイオン移動度の変化率に応じて分離されると考えられる。
【０１１２】
本発明の特定の実施形態において、イオン移動度セパレータ又はスペクトロメータのドリフトチューブは、大気圧より低い圧力で維持されうる。イオン移動度セパレータ又はスペクトロメータは、複数の電極を含むことが好ましく、上記装置の中心軸付近にイオンを半径方向に制限する働きをするＡＣ又はＲＦ電場を発生させるために、電極の少なくとも一部にＡＣ又はＲＦ電圧が印加されることが好ましい。ＡＣ又はＲＦ電場は、セグメント化された多重極ロッドセットの隣接するロッド間又はリングスタックの隣接するリング間に印加又は維持されることが好ましい。ドリフトチューブは、好ましくは１０００ミリバールと１０‐4ミリバールとの間、さらに好ましくは１００ミリバールと１０‐3ミリバールとの間、さらに好ましくは１０ミリバールと１０‐2ミリバールとの間、さらに好ましくは１ミリバールと１０‐1ミリバールとの間の圧力で維持される。
【０１１３】
一実施形態において、イオン移動度セパレータ又はスペクトロメータは、大気圧より低い圧力で保持されてもよく、上記装置の中心軸付近にイオンを放射状に制限するためにＡＣ又はＲＦ電場を用いてもよい。しかし、イオンをイオン移動度セパレータ又はスペクトロメータのドリフトチューブを通って推進するために、イオン移動度セパレータ又はスペクトロメータの長さに沿って維持される軸方向ＤＣ電圧勾配の代わりに、ＤＣ進行電圧波、又は時変もしくは過渡ＤＣポテンシャル電圧もしくはポテンシャル波形を電極に印加してもよい。進行波の振幅及び過渡電圧波形の速度は、一部のイオンが、印加されたＤＣ電圧によって実質的には捕捉されず、その代わりに装置の出口方向に近づけられ、装置に印加されている連続的なＤＣ電圧の作用を受けるように調整してもよい。移動度の高いイオンは、移動度の低いイオンよりも滑落しにくい。その結果、イオン移動度の高いイオンは、イオン移動度が比較的に低いイオンよりも、イオン移動度セパレータ又はスペクトロメータのドリフトチューブの端部に向かって早く駆り立てられやすい。したがって、この方法は、移動度に応じてイオンを分離するために用いることができる。
【０１１４】
別のやや好適な実施形態によると、イオンは、まず、ドリフトチューブを含むイオン移動度セパレータを通過し、その後、イオン移動度セパレータの下流に配置された電場非対称性イオン移動度スペクトロメトリー装置を通過してもよい。電場非対称性イオン移動度スペクトロメトリー装置を通過したイオンは、電場非対称性イオン移動度スペクトロメトリー装置の出口に配置された検出器によって検出されてもよい。同様のイオン分離がそれに応じて行なわれうるが、好適な実施形態とは逆の順番又は方法で行なわれる。すなわち、イオン移動度セパレータは、ＦＡＩＭＳ装置の下流に配されることが好ましいが、やや好ましくはＦＡＩＭＳ装置の上流に配置されてもよい。
【０１１５】
一実施形態によると、ＦＡＩＭＳ装置とイオン移動度セパレータとの組み合わせから出て来るイオンは、次に、さらなる分析のために、質量分析計の主要ハウジング又は本体に通過させてもよい。質量分析計において、イオンは、質量電荷比に応じてさらに分離された後、検出されることが好ましい。これにより、さらに大きな特異性が実現される。したがって、元の被分析材料が複雑な混合物を含んでいる場合であっても、特定のイオンを高い信頼度で検出及び定量することができる。また、これにより、質量電荷比を正確に求めることにより、特定のイオンを複雑な混合物から分離し、同定することが可能となる。
【０１１６】
一実施形態において、質量分析計は、イオンがマスフィルタされて特定のイオンが通過した後、イオンフラグメンテーション装置又は衝突セルにおいてフラグメント化されるタンデム質量分析計を備えていてもよい。得られる生成物、娘イオン又はフラグメントイオンに対し、次に、質量分析が行われることが好ましい。これにより、さらに大きい特異性が実現され、その上、元の被分析材料が非常に複雑な混合物である場合においても、特定のイオンを非常に高い信頼度で検出及び定量することが可能となる。対応するフラグメントイオンの質量電荷比を求めることにより、特定のイオンを非常に複雑な混合物から分離し、同定することも可能となる。
【０１１７】
質量分析計は、四重極質量マスフィルタ、３次元四重極イオントラップ、リニア四重極イオントラップ、飛行時間質量分析計、直交加速飛行時間質量分析計、扇形磁場質量分析計又はフーリエ変換イオンサイクロトロン共鳴質量分析計を含みうる。タンデム質量分析計は、上記のあらゆる組合せを含みうる。
【０１１８】
フラグメンテーション手段又はフラグメンテーションセルは、ガス衝突セルを含むことが好ましい。ガス衝突セルは、イオンを半径方向に制限するためにＡＣ又はＲＦ電場を用いることができ、ガス衝突セルを通ってイオンを進行させるために軸方向ＤＣ電場及び／又は進行もしくは過渡ＤＣ電圧波を用いることができる。衝突セルは、イオンを捕捉するための手段又は表面誘起分解のための表面を含みうる。
【０１１９】
上記イオン化源は、放射線イオン化源、エレクトロスプレーイオン化イオン源（ＥＳＩ）、大気圧化学イオン化イオン源（ＡＰＣＩ）、大気圧光イオン化イオン源（ＡＰＰＩ）、大気圧レーザー脱離／イオン化イオン源（ＡＰ−ＬＤＩ）、大気圧マトリックス支援レーザー脱離／イオン化イオン源（ＡＰ−ＭＡＬＤＩ）又はシリコン上大気圧脱離／イオン化イオン源（ＡＰ−ＤＩＯＳ）を含む気相イオン化源を含みうる。
【０１２０】
さらなる実施形態において、被分析試料は、イオン化のためにイオン源に搬送される前にクロマトグラフィーによってまず分離されてもよい。クロマトグラフィー分離のための手段は、ガスクロマトグラフィー、超臨界流体クロマトグラフィー、液体クロマトグラフィー、キャピラリー電気泳動法又はキャピラリー電気泳動クロマトグラフィーを含みうる。
【０１２１】
以下に、本発明の様々な実施形態について、説明の目的でのみ示すその他の構成とともに、単に例示として、添付の図面を用いて説明する。
【０１２２】
図１は、公知のイオン移動度スペクトロメータの構成を示している。イオンは、イオン源１において生成又は発生され、その後、ドリフトチューブを含むイオン移動度スペクトロメータ２内に導かれる。ドリフトチューブは、ドリフトチューブの長さに沿って配置された複数の環状電極８を含む。イオンを強制的に又は推進的にドリフトチューブの長さに沿わせかつ通過させるために、ドリフトチューブの長さに沿って一定のＤＣ電圧が維持される。イオン移動度スペクトロメータ２への入口に配置された第１のメッシュ電極５ａに電圧又はゲートポテンシャルを印加することにより、イオン移動度スペクトロメータ２に入射するイオンが、ドリフトチューブ内に又はさらにこれに沿って進むことが最初は防止される。
【０１２３】
イオンゲートとして作用する第１のメッシュ電極５ａは、比較的低い電圧に周期的にパルス化され、それにより、イオンパケットが、第１のメッシュ電極５ａを通過して、ドリフトチューブひいてはイオン移動度スペクトロメータ２の本体に入射することが可能となる。
【０１２４】
ドリフトチューブ２に入射するイオンパケットは、電極８に沿って又はこれらの両端で維持される一定の軸方向ＤＣ電場を受ける。イオンは、結果として生じる軸方向電場の作用下で、ガスの向流又は逆流に逆らってドリフトチューブ２の出口端部に向かってドリフトさせられる。ガスの向流又は逆流は、ドリフトチューブ２の出口に向かって配置されたポートを介してガス流３を導入することによって維持される。ガスは、イオン移動度スペクトロメータ２を通過するイオンの進行方向に逆らって、ポートから流出してイオン移動度スペクトロメータ２の入口領域に向かって流れる。その後、ガスは、イオン移動度スペクトロメータ２の入口領域に隣接するさらなるポートを通ってドリフトチューブ２を出射して、イオン移動度スペクトロメータ２を収容するチャンバを出射する。
【０１２５】
イオンは、ドリフトチューブ又はイオン移動度スペクトロメータ２の出口に到達する際、プレート又はイオン検出器６に衝突するように配置される。イオン検出器６は、第２のメッシュ電極５ｂにより、ドリフトチューブ２から電気的に遮断され、また逆も同様である。イオン検出器６からの出力イオン電流は、増幅器７によって増幅される。
【０１２６】
図１に示すイオン移動度スペクトロメータ２は、イオンをイオン移動度に応じて分離し、検出するのに有効である。最も小さい断面、したがって最も高い移動度を有するイオンは、イオン移動度スペクトロメータ２の出口端部に移動し、よってイオン検出器６により検出される最初のイオンになる傾向がある。
【０１２７】
図２は、公知の電場非対称性イオン移動度スペクトロメトリー（「ＦＡＩＭＳ」）スペクトロメータを示している。イオンは、イオン源１において生成又は発生され、その後、２つの平行な金属電極９ａ、９ｂの間を通るように導かれる。イオンをイオン源１から２つの電極９ａ、９ｂの間の空隙内にかつこれを通って導く又は案内するために、ガス流を用いることができる。
【０１２８】
非対称周期電圧波形１２及びＤＣ補償電圧が、２つの平行な金属電極９ａ、９ｂに印加される。電場強度の関数として特異的に変化するイオン移動度を有するイオンは２つの電極９ａ、９ｂの間を通過する一方、他の全てのイオンは２つの電極９ａ、９ｂの一方に向かって移動しやすくなる。２つの電極９ａ、９ｂの一方に向かって移動するイオンは、破棄されるか、又はさもなければシステムから失われることになる。
【０１２９】
ＦＡＩＭＳ装置又はＦＡＩＭＳスペクトロメータによって前方へ伝達されるイオンは、その後、ＦＡＩＭＳ装置の出口に配置されたプレート又はイオン検出器１０によって検出される。イオン検出器１０から出力されるイオン電流は、増幅器１１によって増幅される。
【０１３０】
図３は、本発明の第１の実施形態を示し、イオン移動度スペクトロメータ２に接続されたＦＡＩＭＳ装置を示している。イオンは、イオン源１において生成また発生され、その後、好ましくは、電場非対称性イオン移動度スペクトロメトリー（「ＦＡＩＭＳ」）装置に導かれるか、又はさもなければ伝達される。ＦＡＩＭＳ装置は、２つの平行な金属電極９ａ、９ｂを含むことが好ましい。しかし、別の実施形態によると、ＦＡＩＭＳ装置は、同心円筒状電極又はその他の構成を含みうる。
【０１３１】
イオンをイオン源から２つの電極９ａ、９ｂの間の空隙内にかつこれを通って導くために、ガス流を用いることが好ましい。２つの電極９ａ、９ｂに、非対称周期波形及びＤＣ補償電圧が印加されることが好ましい。電場強度の関数として、すなわち電場強度が変更されると特異的に変化するイオン移動度を有するイオンは、電極９ａ、９ｂ間を前方に伝達され、ＦＡＩＭＳ装置の出口から出て来ることが好ましい。その他の全てのイオンは、２つの電極９ａ、９ｂの一方に向かって移動しやすくなり、よって、破棄されるか、又はさもなければシステムから失われる。ＦＡＩＭＳ装置を通過したイオンは、その後、好ましくは軸方向に配置されかつ好ましくはＦＡＩＭＳ装置の下流にあるイオン移動度スペクトロメータ２内に導かれることが好ましい。
【０１３２】
イオン移動度スペクトロメータ２は、複数の環状電極８を含むドリフトチューブを含むことが好ましい。しかし、他の実施形態によると、電極は、棒電極又はワイヤループを含みうる。
【０１３３】
イオン移動度スペクトロメータ２への入口に、第１のメッシュ電極５ａが配置されることが好ましい。第１のメッシュ電極５ａは、ゲート電極として作用することが好ましく、第１のメッシュ電極に適当なゲート電圧が印加された場合に、イオンがイオン移動度スペクトロメータ２に沿って又はその中にさらに進むことが防止される。したがって、第１のメッシュ電極５ａは、イオンゲートとして用いられることが好ましく、イオンの通過を可能にするために比較的低い電圧に周期的にパルス化されることが好ましい。
【０１３４】
イオン移動度スペクトロメータ２の長さに沿って、一定のＤＣ電圧勾配が維持されることが好ましい。イオン移動度スペクトロメータ２内にパルス化されたイオンパケットは、一定の軸方向ＤＣ電場の作用下で、好ましくはガスの向流又は逆流に逆らって、ドリフトチューブ又はイオン移動度スペクトロメータ２の出口端部へドリフトするように配置されることが好ましい。
【０１３５】
ガスの向流又は逆流は、ドリフトチューブ又はイオン移動度スペクトロメータ２の出口領域に隣接して位置するポートを介してガス流３を導入することにより得られることが好ましい。ガスは、イオン移動度スペクトロメータ２を通るイオンの進行方向に逆らって、ドリフトチューブ又はイオン移動度スペクトロメータ２の入口に向かって流れることが好ましく、その後、ドリフトチューブ又はイオン移動度スペクトロメータ２の入口領域に隣接するポートを通ってドリフトチューブ又はイオン移動度スペクトロメータ２を出射する。
【０１３６】
ドリフトチューブ又はイオン移動度スペクトロメータ２の出口に到達するイオンは、プレート又はイオン検出器６上で検出されることが好ましい。イオン検出器６は、第２のメッシュ電極５ｂによって、ドリフトチューブ２から遮断され、またその逆も同様であることが好ましい。検出器６から出力されるイオン電流は、増幅器７によって増幅されることが好ましい。
【０１３７】
図３に示すＦＡＩＭＳ装置とイオン移動度セパレータ又はスペクトロメータとの組み合わせは、従来の構成よりも大きい分解能で、イオンをイオン移動度に応じて分離及び検出することを可能にすることが好ましい。
【０１３８】
図４は、本発明の第２の実施形態を示している。本実施形態の多くの局面は、図３を参照して上記に説明した第１の実施形態と同様である。本実施形態によると、イオンは、イオン源１において生成又は発生されることが好ましく、その後、電場非対称性イオン移動度スペクトロメトリー（「ＦＡＩＭＳ」）装置に導かれる又は伝達されることが好ましい。ＦＡＩＭＳ装置は、２つの平行な金属電極９ａ、９ｂを含むことが好ましいが、別の実施形態によると、ＦＡＩＭＳ装置は、２つの同心円筒状電極又はその他の電極構成を含みうる。２つの電極９ａ、９ｂの間の空隙内にかつこれを通ってイオンを導くために、ガス流を用いることが好ましい。非対称周期波形及びＤＣ補償電圧が２つの電極９ａ、９ｂに印加されることが好ましい。電場強度が変更されるにつれて特異的に変化するイオン移動度を有するイオンは、電極９ａ、９ｂ間を前方に伝達されることが好ましく、かつＦＡＩＭＳ装置の出口から出て来ることが好ましい。他の全てのイオンは、２つの電極９ａ、９ｂの一方へ移動しやすくなり、よって、好ましくは、破棄されるか、又はさもなければシステムから失われる。
【０１３９】
ＦＡＩＭＳ装置を通って前方に伝達されたイオンは、イオン移動度スペクトロメータ１２内に導かれることが好ましい。イオン移動度スペクトロメータ１２は、好ましくはイオン移動度スペクトロメータ１２内へのイオンの最初の進行方向に対して直交して配置されたドリフトチューブを含むことが好ましい。イオン移動度スペクトロメータ１２によって受け取られたイオンは、好ましくはイオン移動度スペクトロメータ１２の入口開口部に対向して配置された第１のプレート又はイオン検出器１４に進むことができる。イオン検出器１４から出力されるイオン電流は、第１の増幅器１５によって増幅されることが好ましい。
【０１４０】
一動作モードにおいては、好ましくはイオン移動度スペクトロメータ１２の入口領域に配置された直交加速電極１３に周期的に電圧が印加されることが好ましい。直交加速電極１３と、イオン移動度スペクトロメータ１２の一部を構成するドリフトチューブへの入口に好ましくは設けられた第１のメッシュ電極１６ａとの間に電場が発生されることが好ましい。直交電場は、イオン移動度スペクトロメータ１２の入口領域内のイオンパケットを、好ましくはドリフトチューブ又はドリフト領域を含むイオン移動度スペクトロメータ１２の主要部内に直交加速させることが好ましい。
【０１４１】
直交加速されたイオンは、好ましく第１のメッシュ電極１６ａを通過し、その後、イオン移動度スペクトロメータ１２に入射するイオンの最初の方向に対して好ましくは直交して配置されたドリフトチューブにイオンパケットが入射することが好ましい。
【０１４２】
ドリフトチューブ又はイオン移動度スペクトロメータ１２の長さに沿って軸方向ＤＣ電場が維持されることが好ましい。イオンは、軸方向ＤＣ電場の作用下で、好ましくはガスの向流又は逆流に逆らって、ドリフトチューブ又はイオン移動度スペクトロメータ１２の出口端部にドリフトさせられることが好ましい。
【０１４３】
ガスの向流又は逆流は、ドリフトチューブ又はイオン移動度スペクトロメータ１２の出口領域に隣接したポートを介してガス流１８を導入することにより得られることが好ましい。ガスは、ドリフトチューブ又はイオン移動度スペクトロメータ１２の入口領域に向かって流れた後、第１のイオン検出器１４の付近に位置するポートを通ってドリフトチューブ又はイオン移動度スペクトロメータ１２を出射することが好ましい。
【０１４４】
ドリフトチューブ又はイオン移動度スペクトロメータ１２の出口に到達するイオンは、第２のプレート又はイオン検出器２０上で検出されることが好ましく、第２のプレート又はイオン検出器２０から出力されるイオン電流は、第２の増幅器２１によって増幅されることが好ましい。
【０１４５】
図４を参照して図示及び説明した実施形態によると、イオンは、まず、電場強度の関数としてのイオン移動度に応じて電場非対称性イオン移動度スペクトロメータ装置において分離され、その後、イオン移動度に応じて分離及び検出されることが好ましい。
【０１４６】
図５は、ドリフトチューブ又はイオン移動度スペクトロメータ１２が部分真空下又は部分真空状態で維持されることが好ましい、すなわち、イオンがガスの向流に逆らう移動を好まないという点を除いて、図４を参照して上記に図示及び説明した実施形態と多くの点で同様の本発明の第３の実施形態を示している。
【０１４７】
イオンは、イオン源１において生成又は発生されることが好ましく、その後、電場非対称性イオン移動度スペクトロメトリー又はＦＡＩＭＳ装置に導かれる又は伝達されることが好ましい。ＦＡＩＭＳ装置は、２つの平行な金属電極９ａ、９ｂを含むことが好ましいが、別の実施形態によると、ＦＡＩＭＳ装置は、２つの同心円筒状電極又は別の電極構成を含みうる。ＦＡＩＭＳ装置を構成する２つの電極９ａ、９ｂの間の空隙内にかつこれを通ってイオンを導くために、ガス流を用いることが好ましい。非対称周期波形及びＤＣ補償電圧が２つの電極９ａ、９ｂに印加されることが好ましい。電場強度が変更されると特異的に変化するイオン移動度を有するイオンは、電極９ａ、９ｂ間を前方に伝達されることが好ましく、かつＦＡＩＭＳ装置の出口から出て来ることが好ましい。他の全てのイオンは、２つの電極９ａ、９ｂの一方へ移動しやすくなり、よって、破棄されるか、又はさもなければシステムから失われやすくなる。
【０１４８】
ＦＡＩＭＳ装置を通過したイオンは、イオン移動度スペクトロメータ１２のドリフトチューブ内に導かれることが好ましい。
【０１４９】
イオン移動度スペクトロメータ１２のドリフトチューブは、ポンプポート２２を介してガス２３を除去することが好ましい真空ポンプによって、好ましくは０．１〜１ミリバールの圧力の部分真空下又は部分真空状態で維持されることが好ましい真空室内に含まれることが好ましい。ＦＡＩＭＳ装置によって伝達されたイオンは、真空室内に吸引されることが好ましい。一動作モードにおいて、イオンは、その後、第１のプレート又はイオン検出器１４を通過し、そこで検出されてもよい。第１のプレート又はイオン検出器１４から出力されるイオン電流は、その後、第１の増幅器１５によって増幅されることが好ましい。
【０１５０】
別の動作モードにおいて、イオン移動度スペクトロメータ１２の入口と第１のイオン検出器１４との間に配置された直交加速電極１３に電圧が周期的に印加されることが好ましい。イオン移動度スペクトロメータ１２に入射するイオンは、直交加速電極１３と、好ましくはドリフトチューブへの入口に配置された第１のメッシュ電極１６ａとの間に維持される電場によって直交加速されることが好ましい。第１のメッシュ電極１６ａに印加される電圧は周期的に低下させることが好ましく、イオンパケットが、好ましくは第１のメッシュ電極１６ａを通過することが好ましい。その後、イオンパケットはイオン移動度スペクトロメータ１２を好ましくは構成する環状電極１７の間に好ましくは軸方向ＤＣ電場が維持されたドリフトチューブの部分に入射することが好ましい。別の実施形態によると、ドリフトチューブ又はドリフト領域を構成する電極１７は、棒電極又はワイヤを含みうる。
【０１５１】
リング又は環状電極１７のスタック又は列に一連のＤＣ電圧を印加することにより、イオン移動度スペクトロメータ１２及びイオン移動度スペクトロメータ１２を構成する電極１７の長さに沿って軸方向ＤＣ電場が維持されることが好ましい。
【０１５２】
図３及び図４を参照して図示及び説明した第１及び第２の実施形態ならびに図５を参照して図示及び説明した第３の実施形態を含む本発明の全ての実施形態において、好ましくはイオン移動度スペクトロメータ１２の長さに沿って配置されたリング、環状もしくは棒電極１７のスタックもしくは列における隣接するリングもしくは環状電極１７（又は棒もしくは別の電極構成）間に、好ましくはＡＣ又はＲＦ電圧を印加することもできる。
【０１５３】
イオン移動度スペクトロメータ１２内のイオンは、イオン移動度スペクトロメータ１２の電極１７に対して印加されたＡＣ又はＲＦ電場の作用下でリング、環状又は棒電極１７のスタック又は列の中心軸の周りの領域に制限される一方、同時に、印加された軸方向ＤＣ電場の作用下でドリフトチューブ又はイオン移動度スペクトロメータ１２の出口領域に向かってドリフトさせられることが好ましい。
【０１５４】
ＡＣ又はＲＦ電場によってイオンを半径方向に制限することにより、イオンが上記中心軸から離れて移動すること及びリングもしくは棒電極１７、又はさもなければシステムから失われることが防止されることが好ましい。ドリフトチューブ又はイオン移動度スペクトロメータ１２の出口領域に到達するイオンは、第２のプレート又はイオン検出器２０上で検出されることが好ましく、第２のプレート又はイオン検出器２０から出力されるイオン電流は、第２の増幅器２１によって増幅されることが好ましい。
【０１５５】
第２のイオン検出器２０は、第２のメッシュ電極１６ｂにより、ドリフトチューブ又はイオン移動度スペクトロメータ１２から遮断され、また逆も同様であることが好ましい。
【０１５６】
図５に示すＦＡＩＭＳ装置とイオン移動度スペクトロメータとの組み合わせにより、電場非対称性イオン移動度スペクトロメータ装置においてまず分離されたイオンが、その後イオン移動度に応じて分離及び検出されることが可能となることが好ましい。
【０１５７】
図６は、図４を参照して上記に図示及び説明した第２の実施形態と同様の本発明の第４の実施形態を示している。イオンは、イオン源１において生成又は発生され、その後、電場非対称性イオン移動度スペクトロメトリー（「ＦＡＩＭＳ」）装置に導かれるか、又は伝達されることが好ましい。ＦＡＩＭＳ装置は、２つの平行な金属電極９ａ、９ｂを含むことが好ましいが、別の実施形態によると、ＦＡＩＭＳ装置は２つの同心円筒状電極又は別の電極構成を含みうる。ＦＡＩＭＳ装置によって前方に伝達されたイオンは、イオン移動度セパレータ装置内に導かれることが好ましく、一動作モードにおいては、第１のプレート又はイオン検出器１４に進むことができる。第１のプレート又はイオン検出器１４から出力されるイオン電流は、増幅器１５によって増幅されることが好ましい。
【０１５８】
別の動作モードにおいては、イオン移動度セパレータ１２の入口と第１のイオン検出器１４との間に配置された直交加速電極１３に電圧が周期的に印加されることが好ましい。イオンは、直交加速電極１３と、好ましくはイオン移動度セパレータ１２のドリフトチューブへの入口に配置された第１のメッシュ電極１６ａとの間に維持された電場によって直交加速されることが好ましい。イオンパケットが、イオン移動度セパレータのドリフトチューブ内にパルス化されることが好ましく、かつ第１のメッシュ電極１６ａを通過することが好ましい。
【０１５９】
ドリフトチューブ又はイオン移動度セパレータ装置を構成する電極１７にＤＣ電圧を印加することにより、イオン移動度スペクトロメータの長さに沿って軸方向ＤＣ電場が維持されることが好ましい。イオンは、好ましくはガスの向流又は逆流に逆らって、ドリフトチューブ又はイオン移動度セパレータの出口端部にドリフトすることが好ましい。ガスの向流又は逆流は、ドリフトチューブ又はイオン移動度セパレータ１２の出口領域に隣接するポートを介してガス流１８を導入することにより得られることが好ましい。ガスは、ドリフトチューブ又はイオン移動度セパレータ１２の入口領域に向かって流れた後、第１のイオン検出器１４の近傍に位置するポートを通ってドリフトチューブ又はイオン移動度セパレータ１２を出射する。
【０１６０】
本実施形態において、ドリフトチューブ又はイオン移動度セパレータの出口に到達するイオンは、その後、質量分析計の第１の真空室２４内に吸引されることが好ましい。すなわち、イオンは、その後、第１、第２及び第３の実施形態のように、ドリフトチューブ又はイオン移動度セパレータ１２の出口のすぐ近くに配置された第２のイオン検出器によって直接検出されないことが好ましい。
【０１６１】
イオンは、その後、質量分析計の第１の真空室２４から第２の真空室２５内に進むことが好ましい。ＡＣ又はＲＦイオンガイド２６が、第２の真空室２５内に設けられていることが好ましく、かつ質量分析計の主要ハウジング内にイオンを案内するためのイオンガイドとして作用することが好ましい。
【０１６２】
本実施形態によると、電場非対称性イオン移動度スペクトロメトリー装置においてまず分離されたイオンは、その後、イオン移動度セパレータにおいてさらに分離された後、引き続き質量分析計において質量分析及び検出される。
【０１６３】
図７は、ドリフトチューブ又はイオン移動度セパレータ１２が真空室内に配置されていることが好ましい、すなわち、ドリフトチューブ又はイオン移動度セパレータを通過するイオンが好ましくはガスの逆流に逆らって流れないという点を除いて、図６を参照して上記に説明した第４の実施形態と同様の本発明の第５の実施形態を示している。
【０１６４】
イオンは、イオン源１において生成又は発生されることが好ましく、かつ、その後、電場非対称性イオン移動度スペクトロメトリー（「ＦＡＩＭＳ」）装置に導かれる又は伝達されることが好ましい。ＦＡＩＭＳ装置は、２つの平行な金属電極９ａ、９ｂを含むことが好ましいが、別の実施形態によると、ＦＡＩＭＳ装置は、２つの同心円筒状電極又は別の電極構成を含みうる。
【０１６５】
ＦＡＩＭＳ装置から前方に伝達されたイオンは、その後、ドリフトチューブを含むイオン移動度セパレータ１２を初段として含む質量分析計内に導かれることが好ましい。
【０１６６】
ドリフトチューブ又はイオン移動度スペクトロメータ１２は、真空ポート２２ａを介してガス２３を除去する真空ポンプにより、０．１〜１ミリバールの圧力の部分真空下で維持されることが好ましい真空室内に含まれることが好ましい。一動作モードにおいては、真空室内に吸引されたイオンは、好ましくはイオン移動度セパレータ１２への入口に対向して配置されたプレート又はイオン検出器１４に進むことができる。プレート又はイオン検出器１４から出力されるイオン電流は、増幅器によって増幅されることが好ましい。
【０１６７】
好ましくはイオン移動度セパレータ１２の入口領域とイオン検出器１４との間に配置された直交加速電極１３に周期的に電圧が印加されることが好ましい。イオンは、上記に説明した実施形態と同様に、第１のメッシュ電極１６ａを通ってドリフトチューブ又はイオン移動度セパレータの本体内に周期的に直交加速されることが好ましい。
【０１６８】
ドリフトチューブ又はイオン移動度セパレータ１２の長さに沿って軸方向ＤＣ電場が維持されることが好ましい。軸方向ＤＣ電場は、好ましくはドリフトチューブ、ドリフト領域又はイオン移動度セパレータ１２を構成するリング、プレート、環状、ワイヤ又は棒電極１７のスタック又は列に一連のＤＣ電圧を印加することにより得られることが好ましい。
【０１６９】
リング、環状又はその他の電極１７のスタック又は列における隣接するリング又は電極１７の間に、上記に説明した実施形態と同様に、ＡＣ又はＲＦ電圧が印加されることも好ましい。
【０１７０】
イオンは、ＡＣ又はＲＦ電場の作用下でリング又は電極のスタックの中心軸の周りの領域に半径方向に制限されることが好ましく、一方、同時に、軸方向ＤＣ電場の作用下でドリフトチューブ又はイオン移動度スペクトロメータ１２の出口端部にドリフトさせられることが好ましい。
【０１７１】
ドリフトチューブ又はイオン移動度セパレータ１２を構成する電極１７に印加されるＡＣ又はＲＦ電場によってイオンを制限することにより、イオンがイオン移動度セパレータの中心軸から離れて移動すること及びリングもしくは電極１７、又はさもなければシステムから失われることが防止されることが好ましい。
【０１７２】
本実施形態においては、ドリフトチューブ又はイオン移動度セパレータの出口領域に到達するイオンは、質量分析計のさらなる真空室２５内に吸引されることが好ましい。ＡＣ又はＲＦイオンガイド２６が、さらなる真空室２５に設けられていることが好ましく、かつ質量分析計のさらなるハウジングにイオンを案内する働きをすることが好ましい。
【０１７３】
本実施形態によると、電場非対称性イオン移動度スペクトロメトリー装置においてまず分離されたイオンは、その後、イオン移動度セパレータにおいてさらに分離された後、引き続き質量分析計において質量分析及び検出される。
【０１７４】
図８は、本発明の第６の実施形態を示し、同図は、図７を参照して上記に説明した第５の実施形態と同様である。イオンは、イオン源１において生成又は発生される。イオン源１において発生されたイオンは、電場非対称性イオン移動度スペクトロメトリー又はＦＡＩＭＳ装置の２つの平行な金属電極９ａ、９ｂの間を通るように導かれることが好ましい。別の実施形態によると、ＦＡＩＭＳ装置は、２つの同心円筒状電極又は別の電極構成を含みうる。
【０１７５】
ＦＡＩＭＳ装置によって伝達されたイオンの少なくとも一部が、質量分析計の最初の真空室２９内に吸引されることが好ましい。最初の真空室２９は、ポート３０を介して排気されることが好ましい。
【０１７６】
最初の真空室２９に入射するイオンは、その後、ガス２３が排出されるポート２２を介して、好ましくは最初の真空室２９よりも相対的に低圧に排気された別の真空室内に吸引されることが好ましい。
【０１７７】
一動作モードにおいては、イオンは、ドリフトチューブ又はイオン移動度セパレータ１２を収容する真空室の入口と対向して配置されたプレート又はイオン検出器１４に進む。プレート又はイオン検出器１４から出力されるイオン電流は、増幅器１５によって増幅されることが好ましい。
【０１７８】
一動作モードにおいては、イオン移動度セパレータ１２を収容する真空室の入口とイオン検出器１４との間に配置されたプレート又は直交加速電極１３に、周期的に電圧が印加されること好ましい。イオンは、結果として生じる直交電場によって、好ましくはドリフトチューブ又はイオン移動度セパレータ１２の入口に配置された第１のメッシュ電極１６ａを通って直交加速されることが好ましい。
【０１７９】
ドリフトチューブ又はイオン移動度セパレータ１２を構成する電極１７に沿って、軸方向ＤＣ電場が維持されることが好ましい。軸方向ＤＣ電場は、イオン移動度セパレータ１２を構成するリング、環状、ワイヤ、プレート又は棒電極１７のスタック又は列に一連のＤＣ電圧を印加することにより維持されることが好ましい。
【０１８０】
リング、環状、プレート、ワイヤ又は棒電極１７のスタック又は列における隣接するリング又は電極１７の間にＡＣ又はＲＦ電圧が印加されることが好ましい。イオンは、ＡＣ又はＲＦ電場の作用下でリング、環状、プレート、ワイヤ又は棒電極１７のスタック又は列の中心軸の周りの領域に制限されることが好ましく、一方、同時に、印加された軸方向ＤＣ電場の作用下でドリフトチューブ又はイオン移動度セパレータ１２の出口端部へドリフトさせられることが好ましい。
【０１８１】
印加されたＡＣ又はＲＦ電場によってイオンを半径方向に制限することにより、イオンが上記中心軸から離れて移動すること及びリングもしくは電極１７、又はさもなければシステムから失われることが防止されることが好ましい。
【０１８２】
本実施形態においては、ドリフトチューブ又はイオン移動度セパレータ１２の出口に到達するイオンは、その後、質量分析計のさらなる真空室２５内に吸引されることが好ましい。さらなる真空室２５は、ＡＣ又はＲＦイオンガイド２６を含むことが好ましい。
【０１８３】
本実施形態によると、電場非対称性イオン移動度スペクトロメトリー装置においてまず分離されたイオンは、その後、イオン移動度セパレータにおいてさらに分離された後、引き続き質量分析計において質量分析及び検出されることが好ましい。
【０１８４】
図９は、図８を参照して上記に説明した第６の実施形態と同様の本発明の第７の実施形態を示している。イオンは、イオン源１において生成又は発生される。イオン源１において発生されたイオンは、電場非対称性イオン移動度スペクトロメトリー（「ＦＡＩＭＳ」）装置の２つの平行な金属電極９ａ、９ｂの間を進むように導かれるが、別の実施形態によると、ＦＡＩＭＳ装置は、２つの同心円筒状電極又は別の構成もしくは電極を含みうる。ＦＡＩＭＳ装置によって伝達されたイオンは、好ましくはポート３１を介して排気される、質量分析計の最初の真空室内に吸引されることが好ましい。少なくとも一部のイオンが、その後、ドリフトチューブ又はイオン移動度セパレータ１２を含むさらなる真空室内に吸引されることが好ましい。さらなる真空室は、真空ポート３２を介して相対的に低圧に排気されることが好ましい。
【０１８５】
このさらなる真空室に入射するイオンは、ドリフトチューブ又はイオン移動度スペクトロメータの最初の領域に設けられたイオントラップ領域３３において捕捉及び貯留されうる。イオントラップ領域は、ドリフトチューブ又はイオン移動度セパレータ１２への入口に配置された第１のメッシュ電極１６ａ及び／又は第１のメッシュ電極１６ａの下流に、かつ部分的にドリフトチューブ又はイオン移動度セパレータ１２の長さに沿って配置された第３のメッシュ電極１６ｃにトラップ電圧を印加することにより形成されることが好ましい。
【０１８６】
イオントラップ領域３３は、ドリフトチューブ又はイオン移動度セパレータ１２の本体を構成する電極１７と好ましくは実質的に同様の一連の電極を含むことが好ましい。
【０１８７】
ドリフトチューブ又はイオン移動度セパレータ１２の上流のイオントラップ領域３３における隣接する電極間及び／又はドリフトチューブ又はイオン移動度セパレータ１２の本体を構成する電極１７に、ＡＣ又はＲＦ電圧が印加されることが好ましい。ＡＣ又はＲＦ電圧は、ドリフトチューブ又はイオン移動度セパレータ１２の中心軸の付近にイオンを制限する働きをすることが好ましい。
【０１８８】
イオントラップ領域３３の出口端部又は領域において、電極、好ましくは、さらなる（第３の）メッシュ電極１６ｃを適当なＤＣ電圧を印加した状態で用いてイオントラップ領域３３内にイオンを捕捉することが好ましい。イオンパケットがトラップ領域３３から出て、ドリフトチューブ又はイオン移動度セパレータ１２の本体内に進むことを可能にするために、さらなる（第３の）メッシュ電極１６ｃが維持される電圧は、より低い電圧に周期的にパルス化されうる。
【０１８９】
第３のメッシュ電極１６ｃに印加される電圧はリセットすることができ、よって、イオントラップ領域３３にさらなるイオンが蓄積及び捕捉されうる。さらなるイオンは、先のイオンパケットがイオン移動度に応じて分離されかつ／又は引き続き分析される間、ほぼ連続的にイオントラップ領域３３に到達することができる。
【０１９０】
イオントラップ領域３３から出射されるイオンは、ドリフトチューブ又はイオン移動度セパレータ１２内に進むことが好ましい。ドリフトチューブ又はイオン移動度セパレータ１２の長さに沿って軸方向ＤＣ電場が維持されることが好ましい。軸方向ＤＣ電場は、ドリフトチューブ又はイオン移動度セパレータ１２を構成するリング、環状、プレート、ワイヤ又は棒電極１７のスタック又は列に一連のＤＣ電圧を印加することにより維持されることが好ましい。
【０１９１】
ドリフトチューブ又はイオン移動度セパレータ１２を構成するリング、環状、プレート、ワイヤ又は棒電極１７のスタック又は列における隣接するリング又は電極１７の間にＡＣ又はＲＦ電圧が印加されることが好ましい。イオンは、ＡＣ又はＲＦ電場の作用下でリングのスタック又はイオン移動度セパレータ１２の中心軸の周りの領域に制限されることが好ましく、一方、同時に、軸方向ＤＣ電場の作用下でドリフトチューブ又はイオン移動度セパレータ１２の出口端部にドリフトさせられることが好ましい。
【０１９２】
ＡＣ又はＲＦ電場による制限により、イオンがトラップ領域３２及び／又はドリフトチューブ又はイオン移動度セパレータ１２の中心軸から離れて移動すること及び電極１７、又はさもなければシステムから失われることが防止されることが好ましい。
【０１９３】
本実施形態において、ドリフトチューブ又はイオン移動度セパレータの出口に到達するイオンは、質量分析計のさらなる真空室２５内に吸引されることが好ましい。さらなる真空室２５は、ＡＣ又はＲＦイオンガイドを含むことが好ましい。
【０１９４】
本実施形態によると、ＦＡＩＭＳ装置においてまず分離されたイオンは、ＩＭＳ装置又はイオン移動度ドリフトチューブにおいてさらに分離されることが好ましい。イオンは、その後、引き続き質量分析計において質量分析及び検出される。
【０１９５】
上記に説明した全ての実施形態に等しく適用可能なさらなる実施形態によると、イオン移動度セパレータ又はスペクトロメータの長さに沿って一定の軸方向ＤＣ電圧勾配を印加もしくは維持することに加えて又はその代わりに、時変電圧勾配を印加することができる。特に、１以上の過渡ＤＣ電圧又は１以上の過渡ＤＣ電圧波形を、第１のイオン移動度を有する少なくとも一部のイオンが第２の異なるイオン移動度を有する他のイオンから分離されるように、ドリフトチューブ又はイオン移動度セパレータを構成する電極に徐々に印加することができる。
【０１９６】
好適な実施形態を参照して本発明を説明したが、添付の請求項に記載された本発明の範囲から逸脱することなく、形態及び詳細において様々な変更を行なうことができることが当業者には理解される。
【図面の簡単な説明】
【０１９７】
【図１】図１は、公知のイオン移動度スペクトロメータを示す。
【図２】図２は、公知の電場非対称性イオン移動度スペクトロメトリー装置を示す。
【図３】図３は、ＦＡＩＭＳ装置が、イオンがイオン移動度スペクトロメータを通って軸方向に加速されるイオン移動度スペクトロメータと直列に設けられている本発明の第１の実施形態を示す。
【図４】図４は、ＦＡＩＭＳ装置が、イオンがイオン移動度スペクトロメータを通って直交加速されるイオン移動度スペクトロメータと直列に設けられている本発明の第２の実施形態を示す。
【図５】図５は、ＦＡＩＭＳ装置が、真空室内で相対的に低圧に維持されたイオン移動度スペクトロメータと直列に設けられている本発明の第３の実施形態を示す。
【図６】図６は、ＦＡＩＭＳ装置が、質量分析計の主要ハウジングの上流に配置されたイオン移動度セパレータと直列に設けられている本発明の第４の実施形態を示す。
【図７】図７は、ＦＡＩＭＳ装置が、質量分析計の初段を構成するイオン移動度セパレータと直列に設けられている本発明の第５の実施形態を示す。
【図８】図８は、ＦＡＩＭＳ装置が、質量分析計の一部を構成するイオン移動度セパレータと直列に設けられ、イオン移動度セパレータは最初の真空室の下流の真空室に配置されている本発明の第６の実施形態を示す。
【図９】図９は、ＦＡＩＭＳ装置が、質量分析計の一部を構成するイオン移動度セパレータと直列に設けられ、イオンが最初の真空室からイオン移動度セパレータ内に吸引される本発明の第７の実施形態を示す。
【符号の説明】
【０１９８】
１・・・イオン源
９・・・電極
１２・・イオン移動度スペクトロメータ
１６・・メッシュ電極
１７・・電極
２５・・真空室
２６・・イオンガイド
３３・・イオントラップ
【図１】
2007534126.tif 000003
【図２】
2007534126.tif 000004
【図３】
2007534126.tif 000005
【図４】
2007534126.tif 000006
【図５】
2007534126.tif 000007
【図６】
2007534126.tif 000008
【図７】
2007534126.tif 000009
【図８】
2007534126.tif 000010
【図９】
2007534126.tif 000011
【手続補正書】
【提出日】平成18年12月21日(2006.12.21)
【手続補正１】
【補正対象書類名】特許請求の範囲
【補正対象項目名】全文
【補正方法】変更
【補正の内容】
【特許請求の範囲】
【請求項１】
第１の装置と第２の装置とを含む装置であって、
前記第１の装置は、イオンを電場強度に伴うイオン移動度の変化率に応じて分離するための装置であって、電場非対称性イオン移動度スペクトロメトリー（Ｆｉｅｌｄ  Ａｓｙｍｍｅｔｒｉｃ  Ｉｏｎ  Ｍｏｂｉｌｉｔｙ  Ｓｐｅｃｔｒｏｍｅｔｒｙ「ＦＡＩＭＳ」）装置を含み、
前記第２の装置は、イオンをイオン移動度に応じて分離するための装置であって、イオン移動度セパレータ又はイオン移動度スペクトロメータを含み、
前記第１の装置の下流に第２の装置が配置され、
前記第２の装置が複数の電極を含み、使用時、第１のイオン移動度を有する少なくとも一部のイオンが第２の異なるイオン移動度を有する他のイオンから分離されるように、１以上の過渡ＤＣ電圧又は１以上の過渡ＤＣ電圧波形が前記電極に徐々に印加される装置。
【請求項２】
前記第１の装置が少なくとも第１の電極及び第２の電極を含み、使用時、イオンが前記第１及び第２の電極の間で受け取られるように配置される請求項１に記載の装置。
【請求項３】
さらに、前記第１の装置に非対称周期電圧波形を印加するための手段を含み、前記非対称周期電圧波形は正のピーク電圧及び負のピーク電圧を有する請求項１又は２に記載の装置。
【請求項４】
さらに、前記第１の装置にＤＣ補償電圧を印加するための手段を含む請求項１、２又は３に記載の装置。
【請求項５】
前記ＤＣ補償電圧が、釣り合わせ又は相殺しなければ所望のイオンを前記第１の装置の電極に向かってドリフトさせる力に対し、釣り合わせ又は相殺する働きをする請求項４に記載の装置。
【請求項６】
前記第２の装置が、（ｉ）イオンが通過する開口部を有する複数の電極を含むイオン漏斗であって、前記開口部の直径が徐々に小さく又は大きくなっているイオン漏斗、（ｉｉ）イオンが通過する開口部を有する複数の電極を含むイオントンネルであって、前記開口部の直径が実質的に一定のままであるイオントンネル、（ｉｉｉ）プレート、リング又はワイヤループ電極のスタック、及び（ｉｖ）セグメント化されたロッドセットからなる群より選ばれる先行する請求項のいずれかに記載の装置。
【請求項７】
使用時、少なくとも一部のイオンを前記第２の装置の中心軸付近に制限するために、前記第２の装置の前記電極の少なくとも一部にＡＣ又はＲＦ電圧が印加される先行する請求項のいずれかに記載の装置。
【請求項８】
前記第２の装置の少なくとも一部に渡って１以上のＤＣ電圧勾配が維持される先行する請求項のいずれかに記載の装置。
【請求項９】
前記１以上の過渡ＤＣ電圧又は前記１以上の過渡ＤＣ電圧波形が、前記１以上の過渡ＤＣ電圧又は前記１以上の過渡ＤＣ電圧波形が前記電極に徐々に印加される際に、前記第１のイオン移動度を有するイオンよりも低い度合で印加された前記ＤＣ電圧により、前記第２のイオン移動度を有するイオンのうち少なくとも１０％、２０％、３０％、４０％、５０％、６０％、７０％、８０％、９０％又は９５％が前記第２の装置に沿って移動されるようなものである先行する請求項のいずれかに記載の装置。
【請求項１０】
イオンが前記イオン移動度セパレータの領域に向かって移動されるように、使用時に１以上の過渡ＤＣ電圧又は１以上の過渡ＤＣ電圧波形が前記電極に徐々に印加され、少なくとも１つの電極がポテンシャルを有し、前記ポテンシャルは、第１のイオン移動度を有する少なくとも一部のイオンが該ポテンシャルを通過するが、第２の異なるイオン移動度を有する他のイオンが該ポテンシャルを通過しないようなものである先行する請求項のいずれかに記載の装置。
【請求項１１】
前記１以上の過渡ＤＣ電圧又は前記１以上の過渡ＤＣ電圧波形が、前記第１のイオン移動度を有するイオンのうち少なくとも１０％、２０％、３０％、４０％、５０％、６０％、７０％、８０％、９０％又は９５％が前記ポテンシャルを通過するようなものである請求項１０に記載の装置。
【請求項１２】
前記１以上の過渡ＤＣ電圧又は前記１以上の過渡ＤＣ電圧波形が、前記第２のイオン移動度を有するイオンのうち少なくとも１０％、２０％、３０％、４０％、５０％、６０％、７０％、８０％、９０％又は９５％が前記ポテンシャルを通過しないようなものである請求項１０又は１１に記載の装置。
【請求項１３】
前記第２の装置に印加される前記１以上の過渡ＤＣ電圧が、（ｉ）ポテンシャルの山又は障壁、（ｉｉ）ポテンシャル井戸、（ｉｉｉ）ポテンシャルの山又は障壁とポテンシャル井戸との組み合わせ、（ｉｖ）多数のポテンシャルの山又は障壁、（ｖ）多数のポテンシャル井戸、又は（ｖｉ）多数のポテンシャルの山又は障壁と多数のポテンシャル井戸との組み合わせを生じさせる先行する請求項のいずれかに記載の装置。
【請求項１４】
前記１以上の過渡ＤＣ電圧波形が、反復波形を含む先行する請求項のいずれかに記載の装置。
【請求項１５】
イオンが、ＡＣ又はＲＦ電場により前記第１の装置及び／又は前記第２の装置内で半径方向に制限される先行する請求項のいずれかに記載の装置。
【請求項１６】
少なくとも一部のイオンが前記第１の装置及び／又は前記第２の装置に沿って進行するように、１以上の過渡ＤＣ電圧又は１以上の過渡ＤＣ電圧波形が前記第１の装置及び／又は前記第２の装置の一方の端部から前記第１の装置及び／又は前記第２の装置の別の端部に移動する先行する請求項のいずれかに記載の装置。
【請求項１７】
前記第１の装置及び／又は前記第２の装置が、上流の入口領域と、下流の出口領域と、中間領域とを含み、
前記入口領域において、前記１以上の過渡ＤＣ電圧又は前記１以上の過渡ＤＣ電圧波形の振幅が第１の振幅を有し、
前記中間領域において、前記１以上の過渡ＤＣ電圧又は前記１以上の過渡ＤＣ電圧波形の振幅が第２の振幅を有し、
前記出口領域において、前記１以上の過渡ＤＣ電圧又は前記１以上の過渡ＤＣ電圧波形の振幅が第３の振幅を有する先行する請求項のいずれかに記載の装置。
【請求項１８】
前記第１及び／又は第３の振幅が実質的にゼロであり、前記第２の振幅が実質的に非ゼロである請求項１７に記載の装置。
【請求項１９】
２以上の過渡ＤＣ電圧又は２以上の過渡ＤＣ電圧波形が、前記第１の装置及び／又は前記第２の装置に印加され、かつ前記第１の装置及び／又は前記第２の装置に沿って同時に進む先行する請求項のいずれかに記載の装置。
【請求項２０】
前記２以上の過渡ＤＣ電圧又は前記２以上の過渡ＤＣ電圧波形が、（ｉ）同じ方向に、（ｉｉ）逆方向に、（ｉｉｉ）互いに向かって、又は（ｉｖ）互いから離れて移動するように構成されている請求項１９に記載の装置。
【請求項２１】
１以上の過渡ＤＣ電圧又は１以上の過渡ＤＣ電圧波形が前記第１の装置及び／又は前記第２の装置に沿って進み、少なくとも１つの実質的に定常の過渡ＤＣポテンシャル電圧又は電圧波形が、前記第１の装置及び／又は前記第２の装置に沿った位置に供給される先行する請求項のいずれかに記載の装置。
【請求項２２】
使用時、前記第１の装置及び／又は前記第２の装置の出口からイオンパルスが出て来る先行する請求項のいずれかに記載の装置。
【請求項２３】
さらに、イオン検出器を含み、前記イオン検出器は、使用時、前記第１の装置及び／又は前記第２の装置の出口から出て来る前記イオンパルスに対して実質的に位相が固定されるように構成されている請求項２２に記載の装置。
【請求項２４】
さらに、ドリフト領域内にイオンを注入するための電極を含む飛行時間質量分析器を含み、前記電極は、使用時、前記第１の装置及び／又は前記第２の装置の出口から出て来る前記イオンパルスと実質的に同期して通電されるように構成されている請求項２２又は２３記載の装置。
【請求項２５】
前記第１の装置及び／又は前記第２の装置が複数の電極を含み、前記電極のうち少なくとも１０％、２０％、３０％、４０％、５０％、６０％、７０％、８０％、９０％又は９５％が、ＤＣ電圧源、及びＡＣ又はＲＦ電圧源の両方に接続されている先行する請求項のいずれかに記載の装置。
【請求項２６】
さらに、連続イオン源を含む先行する請求項のいずれかに記載の装置。
【請求項２７】
さらに、パルス状イオン源を含む請求項１〜２５のいずれかに記載の装置。
【請求項２８】
さらに、（ｉ）エレクトロスプレーイオン化（「ＥＳＩ」）イオン源、（ｉｉ）大気圧光イオン化（「ＡＰＰＩ」）イオン源、（ｉｉｉ）大気圧化学イオン化（「ＡＰＣＩ」）イオン源、（ｉｖ）マトリックス支援レーザー脱離イオン化（「ＭＡＬＤＩ」）イオン源、（ｖ）レーザー脱離イオン化（「ＬＤＩ」）イオン源、（ｖｉ）大気圧イオン化（「ＡＰＩ」）イオン源、（ｖｉｉ）シリコン上脱離イオン化（「ＤＩＯＳ」）イオン源、（ｖｉｉｉ）電子衝撃（「ＥＩ」）イオン源、（ｉｘ）化学イオン化（「ＣＩ」）イオン源、（ｘ）電界イオン化（「ＦＩ」）イオン源、（ｘｉ）電界脱離（「ＦＤ」）イオン源、（ｘｉｉ）誘導結合プラズマ（「ＩＣＰ」）イオン源、（ｘｉｉｉ）高速原子衝撃（「ＦＡＢ」）イオン源、（ｘｉｖ）液体二次イオン質量分析（「ＬＳＩＭＳ」）イオン源、（ｘｖ）脱離エレクトロスプレーイオン化（「ＤＥＳＩ」）イオン源、及び（ｘｖｉ）ニッケル６３放射性イオン源（Ｎｉｃｋｅｌ−６３  ｒａｄｉｏａｃｔｉｖｅ  ｉｏｎ  ｓｏｕｒｃｅ）からなる群より選ばれるイオン源を含む先行する請求項のいずれかに記載の装置。
【請求項２９】
さらに、被分析試料をイオン化の前に分離するための分離装置を含む先行する請求項のいずれかに記載の装置。
【請求項３０】
前記分離装置が、（ｉ）液体クロマトグラフィー装置、（ｉｉ）ガスクロマトグラフィー装置、（ｉｉｉ）超臨界流体クロマトグラフィー装置、（ｉｖ）キャピラリー電気泳動法装置、及び（ｖ）キャピラリー電気泳動法クロマトグラフィー装置からなる群より選ばれる請求項２９に記載の装置。
【請求項３１】
先行する請求項のいずれかに記載の装置を含む質量分析計。
【請求項３２】
質量分析器をさらに含む請求項３１に記載の質量分析計。
【請求項３３】
前記質量分析器が、（ｉ）直交加速飛行時間質量分析器、（ｉｉ）軸方向加速飛行時間質量分析器、（ｉｉｉ）ポール（Ｐａｕｌ）三次元四重極イオントラップ質量分析器、（ｉｖ）二次元又はリニア四重極イオントラップ質量分析器、（ｖ）フーリエ変換イオンサイクロトロン共鳴質量分析器、（ｖｉ）扇形磁場質量分析器、（ｖｉｉ）四重極質量分析器、及び（ｖｉｉｉ）ペニングトラップ質量分析器からなる群より選ばれる請求項３２に記載の質量分析計。
【請求項３４】
さらに、衝突又はフラグメンテーションセルを含む請求項３１、３２又は３３に記載の質量分析計。
【請求項３５】
電場非対称性イオン移動度スペクトロメトリー（「ＦＡＩＭＳ」）装置を含む第１の装置において、イオンを電場強度に伴うイオン移動度の変化率に応じて分離し、その後
複数の電極を含むイオン移動度セパレータ又はイオン移動度スペクトロメータを含み前記第１の装置の下流に配置されている第２の装置において、イオンをイオン移動度に応じて分離することを含むイオン分離方法であって、
前記第２の装置においてイオンを分離する前記ステップが、第１のイオン移動度を有する少なくとも一部のイオンが第２の異なるイオン移動度を有する他のイオンから分離されるように、１以上の過渡ＤＣ電圧又は１以上の過渡ＤＣ電圧波形を前記電極に徐々に印加することを含む方法。
【請求項３６】
請求項３５に記載の方法を含む質量分析方法。
【請求項３７】
第１の装置と第２の装置とを含む装置であって、
前記第１の装置は、イオンを電場強度に伴うイオン移動度の変化率に応じて分離するための装置であって、電場非対称性イオン移動度スペクトロメトリー（Ｆｉｅｌｄ  Ａｓｙｍｍｅｔｒｉｃ  Ｉｏｎ  Ｍｏｂｉｌｉｔｙ  Ｓｐｅｃｔｒｏｍｅｔｒｙ「ＦＡＩＭＳ」）装置を含み、
前記第２の装置は、イオンをイオン移動度に応じて分離するための装置であって、イオン移動度セパレータ又はイオン移動度スペクトロメータを含み、
前記第１の装置の下流に第２の装置が配置され、
前記第２の装置が複数の電極を含み、各電極が、使用時にイオンが通過する開口部を有し、使用時、少なくとも一部のイオンを前記第２の装置の中心軸付近に制限するために、前記第２の装置の前記電極の少なくとも一部にＡＣ又はＲＦ電圧が印加される装置。
【請求項３８】
請求項３７に記載の装置を含む質量分析計。
【請求項３９】
電場非対称性イオン移動度スペクトロメトリー（「ＦＡＩＭＳ」）装置を含む第１の装置において、イオンを電場強度に伴うイオン移動度の変化率に応じて分離し、その後
各電極が使用時にイオンが通過する開口部を有する複数の電極を含むイオン移動度セパレータ又はイオン移動度スペクトロメータを含み前記第１の装置の下流に配置されている第２の装置において、イオンをイオン移動度に応じて分離することを含むイオン分離方法であって、
前記第２の装置内のイオンの少なくとも一部を該装置の中心軸付近に制限するために、前記第２の装置の前記電極の少なくとも一部にＡＣ又はＲＦ電圧が印加される方法。
【請求項４０】
請求項３９に記載の方法を含む質量分析方法。
【国際調査報告】
2007534126.tif 000012
2007534126.tif 000013
2007534126.tif 000014
2007534126.tif 000015